(57)【特許請求の範囲】
【請求項１】
第２のタイプの情報の行を発生するため、第１の源からの無線担体上で第１のフォーマットにおけるペイロード・データを含む第１のタイプの情報の行をフレーム構成すること、
パリティー・ブロックを含む冗長情報の行を発生するために前記第２のタイプの情報の行をコード化すること、
第２のフォーマットおよび前記パリティー・ブロックに前記ペイロード・データの行を含む外部のコード・ブロックを生成するために、前記第２のタイプ情報の行に続けて前記冗長情報の行を追加すること、
前記外部のコード・ブロックの各行にオーバーヘッド情報を加え、前記オーバーヘッド情報はシーケンス番号を含むこと、および
無線リンク制御層へ前記外部のコード・ブロックを送信すること、
前記第１の源から前記外部のコード・ブロックを受信すること、
無線発信機が移行を受ける場合に、前記第２のタイプ情報の行と同一である第２の源から第２のパケットを受信することを含み、
前記シーケンス番号は、前記無線リンク制御層より上で提供され、前記シーケンス番号は、前記第１の源からの前記外部のコード・ブロックおよび前記第２の源からの前記第２のパケットを有する前記外部のコード・ブロックを再整列するために使用され、前記シーケンス番号は、前記第１の源と第２の源の双方で共通であり、前記シーケンス番号は、無線発信機が移行を受ける場合、前記無線リンク制御層がモードを変更することを許容し、前記移行は二地点間（ＰＴＰ）及び一地点対多地点（ＰＴＭ）伝送モードの間で移行することである、チャネル上で情報を通信する方法。
【請求項２】
前記第２のタイプの情報が第２のフォーマットにおけるペイロード・データ、およびいくつかのケースでパディング情報を含む請求項１に記載の方法。
【請求項３】
前記符号化は外部符号化を含み、前記無線リンク制御層と無関係に行なわれる請求項１に記載の方法。
【請求項４】
前記チャネルが単方向共通の論理チャネルである請求項１に記載の方法。
【請求項５】
前記チャネルが単方向ダウンリンク・チャネルである請求項４に記載の方法。
【請求項６】
前記共通の論理チャネルが１つ以上端末へ放送される情報を運ぶ請求項５に記載の方法。
【請求項７】
無線リンク制御層と、無線リンク制御層の上に配置された順方向誤り訂正層と、を含む、通信システムのためのプロトコル構造を使用する通信方法であって、
前記通信方法は、
前記順方向誤り訂正層が、第１のタイプの情報が前記無線リンク制御層に到達する前に、無線担体上で第１のタイプの情報を受信すること、
前記順方向誤り訂正層が、第２のタイプの情報を発生するため前記第１のタイプの情報が前記無線リンク制御層に到達する前に、前記第１のタイプの情報を等しいサイズのフレームの中へフレーム構成すること、
前記順方向誤り訂正層が、外部コード・ブロックを発生するために前記第２のタイプの情報に加えられる冗長情報の行を発生するように前記第２のタイプの情報を使用すること、
前記順方向誤り訂正層が、前記無線リンク制御層に送信する前に、各フレームにシーケンス番号を加えること、
を含み、
第１の源から前記外部コード・ブロックが共通の論理チャネル上で送信され、
前記シーケンス番号は、第２のタイプの情報が移行中に第２の源からの他の第２のタイプの情報と再整列されることを許容し、前記シーケンス番号は、前記第１の源と第２の源の双方で共通であり、前記シーケンス番号は、前記方法を実行する無線発信機が移行を受ける場合、前記無線リンク制御層がモードを変更することを許容し、前記移行は二地点間（ＰＴＰ）及び一地点対多地点（ＰＴＭ）伝送モードの間で移行することである。
【発明の詳細な説明】
【関連技術】
【０００１】
３５Ｕ．Ｓ．Ｃ．§１１９の下における優先権主張
本特許出願は２００３年８月２１日出願の“Method and Apparatus for Seamless Delivery of Broadcast and Multicast Content Across Cell Borders and/or Between Different Transmission Schemes”と題する仮出願第６０／４９７，４５７号、及び２００３年８月２１日出願の“L2 Design for Outer Coding Scheme”と題する仮出願第６０／４９７，４５６号に対する優先権を要求するものであり、双方共にこの譲請人に譲渡され、且つ引例としてここに特に組み込まれる。
【技術分野】
【０００２】
本発明は一般に通信システムに関係し、特に放送（broadcast）及びマルチキャスト（multicast）コンテンツの配送に関係する。
【背景技術】
【０００３】
無線通信システムは伝統的に音声トラヒック及び低データ伝送率非音声トラヒックを搬送するために使用されてきた。今日、ビデオ、データ、及び他形式のトラヒックといった高データ転送率（ＨＤＲ）マルチメディア・トラヒックを搬送する無線通信システムが実施されつつある。マルチメディア放送及びマルチキャストサービス（ＭＢＭＳ）チャネルは無線放送、テレビ放送、映画、及び他の形式のオーディオ或いはビデオコンテンツといった音声、オーディオ及びビデオ・データ源に基づいてストリーミング・アプリケーションを伝送するために使用される。ストリーミング・データ源は時々断続し、且つ一般的に圧縮されるために、遅延及びある程度の損失またはビット誤りを許容することができる。従って、無線接続ネットワーク（Radio Access Network：ＲＡＮ）において到着する伝送のデータ伝送率は非常に変動する。アプリケーション・バッファは一般的に有限であるので、変動する源データ伝送率（data rate）に対応するＭＢＭＳ伝送機構が必要とされる。
【０００４】
基地局は一般的に大抵は複数のパケットにまとめられた情報信号を伝送することによってそのようなマルチメディア・トラヒック・サービスを加入者局に提供する。パケットはデータ（ペイロード）及び制御要素を含む一群のバイトであり、それらは特定のフォーマットに配列される。制御要素は、例えば、巡回冗長度検査（ＣＲＣ）、パリティ・ビット、及び他の形式の計量基準を含むプリアンブル及び品質計量基準を含む。パケットは通信チャネル構造に従ってメッセージ中に通常フォーマットされる。メッセージは発信端末と目的端末との間を往来し、信号対雑音比、時間変動、及び他のそのような特性などの通信チャネルの特性による影響を受ける。そのような特性は異なる通信チャネルにおいて異なって変調信号に影響を及ぼす。他の考慮事項では、無線通信チャネル上における変調情報信号の伝送は変調信号における情報を保護する適切な方法の選択を必要とする。そのような方法は、例えば、符号化、シンボルの繰返し、及び当業者に既知の他の方法を含む。しかしながら、これらの方法はオーバーヘッドを増大させる。従って、メッセージ配送の信頼性とオーバーヘッドの量との間の技術的妥協がなされなければならない。
【０００５】
オペレータは一般的にＭＢＭＳコンテンツを受取ることに関心を持つ加入者局またはユーザー装置（ＵＥ）の数に応じてセル基準によってセル上の二地点間（PointーtoーPoint：ＰＴＰ）接続か一地点対多地点（PointーtoーMultipoint：ＰＴＭ）接続のいずれかを選択する。
【０００６】
二地点間（ＰＴＰ）伝送は受信区域における選択ユーザーにサービスをするために専用チャネル（dedicated channels）を使用する。「専用の」チャネルは単独加入者局へ／からの情報を搬送する。二地点間（ＰＴＰ）伝送では、個別のチャネルが各移動局への伝送のために使用される。順方向回線または下り回線方向における一ユーザー・サービスのための専用ユーザー・トラヒックは、例えば、専用トラヒック・チャネル（Dedicated Traffic Channel：ＤＴＣＨ）と呼ばれる論理チャネルを通して送られる。二地点間（ＰＴＰ）通信サービスは、例えば、受信区域における特定のマルチメディア放送及びマルチキャストサービス（ＭＢＭＳ）を要求する十分なユーザーがいなければ、一般的に最も効率的である。そのような場合には、基地局がサービスを要求した特定のユーザーにだけサービスを伝送する二地点間（ＰＴＰ）伝送が使用される。例えば、ＷーＣＤＭＡシステムでは、所定数の移動局までは専用チャネルまたは二地点間（ＰＴＰ）伝送を用いることがより効率的である。
【０００７】
「放送通信」もしくは「一地点対多地点（ＰＴＭ）通信」は複数の移動局への共通通信チャネル上の通信である。「共通の（common）」チャネルは多数の加入者局へ／から情報を搬送し、いくつかの端末によって同時に使用される。一地点対多地点（ＰＴＭ）通信サービスでは、例えば、サービスを要求するユーザーの数が基地局の受信区域内で所定の限界数を超えれば、セル基地局は共通チャネル上でマルチメディア・トラヒック・サービスを放送する。ＣＤＭＡ２０００システムでは、ＰｔＭ無線担体（radio bearer）がＰｔＰ無線担体とほとんど同様に効率的であるので、放送もしくは一地点対多地点（ＰＴＭ）伝送が一般的にＰｔＰ伝送の代わりに使用される。特定の基地局からの共通チャネル伝送は他の基地局からの共通チャネル伝送と必ずしも同期されるとは限らない。一般的な放送システムでは、一以上の中央局はコンテンツを（ユーザーの放送ネット）にサービスする。中央局は全ての加入者もしくは一群の特定の加入者局のいずれかに情報を伝送する。放送サービスに関心がある各加入者局は共通順方向回線信号を監視する。一地点対多地点（ＰＴＭ）伝送は下り回線または順方向共通チャネル上で送られる。この共通放送順方向回線信号は一般的に順方向回線または「下り回線」方向に存在する共通トラヒック・ チャネル（ＣＴＣＨ）のような一方向チャネル上で放送される。このチャネルは一方向性であるので、全ての加入者ユニットが基地局に返信することを許容すると通信システムに過剰負担になり、加入者局は一般に基地局と通信しない。このように、一地点対多地点（ＰＴＭ）通信サービスでは、加入者局によって受取られた情報に誤りがあるとき、加入者局は基地局へ返信することができなくなる。従って、情報保護の他の手段が望ましことになる。
【０００８】
ＣＤＭＡ２０００システムでは、加入者局は一地点対多地点（ＰＴＭ）伝送において軟結合する。情報信号を保護する措置がとられるときでも、通信チャネルの状態は宛先局が専用チャネル上で転送された、いくつかのパケットを復号することができないほど劣化する。そのような場合に、一つの方策は目的 (加入者) 局によって作成された自動再伝送要求（Automatic retransmission reQuest：ＡＲＱ）を用いて発信（基地）局に非復号パケットを単に再伝送することである。再伝送はデータ・パケットの配送を保証するのに役立つ。データが正しく配送できない場合には、伝送側におけるＲＬＣのユーザーが通知される。
【０００９】
加入者局は一般的にいくつかのシナリオで移行（transitions）を受ける。これらの移行はいろいろな方法に分類される。例えば、移行は「交差移行（cross transitions）」及び「直接移行（direct transitions）」として分類される。移行はまた「セル間（interーcell）」移行及び「セル内（intraーcell）」移行として分類される。
【００１０】
セルまたは伝送手法の間の移行はユーザーに好ましくないサービス中断の結果をもたらす。加入者局またはユーザー装置（ＵＥ）が一つのセルから他方のセルへ移動するとき、もしくは マルチメディア放送及びマルチキャストサービス（ＭＢＭＳ）コンテンツの配送がサービス・セルにおいて一つのモードから別のモードに変わるとき、問題が起こる。近隣のセルからの伝送は相互に関して量Δｔ１だけ時間移行される。さらに、移動局は目的セルにおけるシステム情報（それはある量の処理時間Δｔ２を必要とする）を決定する必要があるので、さらに遅延が移行の間に導入される。異なるセル（または、異なる伝送チャネル形式：二地点間（ＰＴＰ）／一地点対多地点（ＰＴＭ））から伝送されたデータ・ストリームは相互に関してオフセットされる。従って、異なるセルからの多地点（ＰＴＭ）伝送の間に、移動局は二度同じコンテンツのブロックを受取るか、もしくはコンテンツのいくつかのブロックは失われるかもしれず、それはサービス品質（Quality of Service）に関して好ましくない。セル間及び／または二地点間（ＰＴＰ）伝送と一地点対多地点（ＰＴＭ）伝送との間の移行は、移行の持続期間、及び伝送の間の遅延または誤整列によってサービスにおいて中断を引き起こす。
【００１１】
従って、サービス連続性を提供し、且つユーザー装置（ＵＥ）が一つのセルから他のセルに移動するときに起こる移行によって引き起こされる、或いはコンテンツの配送が同じサービス・セルにおける二地点間（ＰＴＰ）接続から一地点対多地点（ＰＴＭ）接続に変わるとき起こる移行によって引き起こされるコンテンツの配送における中断を低減する伝送技術が当技術分野において必要である。そのような伝送技術は好しくはセル境界を越えて、且つ／または一地点対多地点（ＰＴＭ）及び二地点間（ＰＴＰ）といった異なる伝送手法の間で継ぎ目のない配送を可能にするであろう。データが移行の間に失われないように、異なるストリームを調整し、且つそのような移行の間に各データ・ブロックからコンテンツを再生するための機構もまた望ましい。受信端末における復号の間にデータを再配列するための機構を提供することもまた望ましい。  
【図面の簡単な説明】
【００１２】
【図１】通信システムの図である。
【図２】ＵＭＴＳ信号（signaling）プロトコル・スタックのブロック図である。
【図３】ＵＭＴＳプロトコル・スタックのパケット交換ユーザー平面のブロック図である。
【図４】ＵＭＴＳ信号プロトコル・スタックのアクセス階層部分のブロック図である。
【図５Ａ】ＵＭＴＳ信号プロトコル・スタックの無線回線制御（Radio Link Control：ＲＬＣ）層において使用されるデータ転送モード、及び各層において使用される様々なチャネルのブロック図である。
【図５Ｂ】様々なＲＬＣデータ転送モードを含む無線回線制御（ＲＬＣ）層のアーキテクチャを示すブロック図である。
【図５Ｃ】無線回線制御（ＲＬＣ）肯定応答モード（Acknowledged Mode：ＡＭ）を実施するエンティティーを示すブロック図である。
【図６】順方向誤り訂正層を有する修正ＵＭＴＳプロトコル・スタックの図である。
【図７Ａ】順方向誤り訂正（ＦＥＣ）層を含むアクセス層のプロトコル構造の一実施例を示す。
【図７Ｂ】順方向誤り訂正（ＦＥＣ）層を含むアクセス層のプロトコル構造の別の実施例を示す。
【図８】情報ブロック並びに情報ブロックに対応する外部符号ブロックの図である。
【図９Ａ】マルチメディア放送及びマルチキャストサービス（Multimedia Broadcast and Multicast Service：ＭＢＭＳ）データに適用できる外部符号ブロック構造を示す図である。
【図９Ｂ】多数行が伝送時間間隔（Transmission Time Interval：ＴＴＩ）ごとに送られる図９Ａの外部符号ブロック構造を示す図である。
【図９Ｃ】各行が多元ＴＴＩで送られる図９Ａの外部符号ブロック構造を示す図である。
【図１０Ａ】順方向誤り訂正層により生成される外部符号ブロックを示す図である。
【図１０Ｂ】順方向誤り訂正層により生成される外部符号ブロックを示す図である。
【図１１】ＲＬＣ  ＵＭ＋エンティティーにおいて使用される順方向誤り訂正（ＦＥＣ）層の一実施例である。
【図１２Ａ】外部符号ブロックの行サイズが固定されるデータ・ユニットから外部符号ブロックを生成するための符号化処理を示す。
【図１２Ｂ】空中で送られる図１２Ａにおける情報の例を示す。
【図１３】様々な行サイズを有する外部符号ブロックを生成するための符号化処理を示す。
【図１４】順方向誤り訂正（ＦＥＣ）ヘッダー・フォーマットの一実施例の図である。
【図１５】異なる論理ストリーム間の時間オフセットによって移動局に復号を遅延させることを可能にするためのアルゴリズムである。
【図１６】セルＡから一地点対多地点（ＰＴＭ）伝送を、セルＢから別の一地点対多地点（ＰＴＭ）伝送を受信している間に移動局が移行するとき移動局によって受信された外部符号ブロック間の時間関係を示す図である。
【図１７】一地点対多地点（ＰＴＭ）伝送と二地点間（ＰＴＰ）伝送の間の移行が発生するとき、移動局によって受信された外部符号ブロック間の時間関係を示す図である。
【図１８】無線ネットワーク制御器（ＲＮＣ）Ａからの二地点間（ＰＴＰ）伝送と無線ネットワーク制御器（ＲＮＣ）Ｂからの他の二地点間（ＰＴＰ）伝送との間の移行もしくは再配置の間に、移動局によって受信された外部符号ブロック間の時間関係を示す図である。
【発明を実施するための形態】
【００１３】
用語「典型的な（exemplary）」はここでは「例、場合、または実例として役立つ」ことを意味する。「典型的な」としてここに示された実施例は他の実施例に対して好ましいとか、有利であると必ずしも解釈されるとは限らない。
【００１４】
術語「移動局（mobile station）」はここでは術語「宛先局（destination station）」、「加入者局（subscriber station）」、「加入者ユニット」、「端末（terminal）」及び「ユーザー装置（User Equipment：ＵＥ）」と互換可能で、ＵＭＴＳ地上無線接続ネットワーク（ＵＴＲＡＮ）といった接続ネットワーク（access network）が通信を行う基地局のようなハードウェアを参照するようにここに使用される。ＵＭＴＳシステムでは、ユーザー装置（ＵＥ）はユーザーがＵＭＴＳネットワークサービスにアクセスすることを可能にし、さらに好しくは全てのユーザー予約情報を含むＵＳＩＭを含むデバイスである。移動局は移動可能もしくは静止しており、例えば、光ファイバもしくは同軸ケーブルを使用して無線チャネルもしくは有線チャネルを介して通信する通信器、データ・デバイスまたは端末を一般に含む。移動局はＰＣカード、コンパクト・フラッシュ、外付または内蔵モデム、もしくは無線または有線電話を含むデバイスに具体化されるが、それに限定されるものではない。
【００１５】
術語「接続設定状態（connection setup state）」は移動局が基地局との稼働トラヒック・チャネル接続を確立する過程にある状態を云う。
【００１６】
術語「トラヒック状態」は移動局が基地局との稼働トラヒック・チャネル接続を確立した状態を云う。
【００１７】
術語「通信チャネル」は文脈によって物理チャネルまたは論理チャネルを意味するためにここに使用される。
【００１８】
術語「物理チャネル」は空中インタフェース上でユーザー・データもしくは制御情報を搬送するチャネルを参照するようにここに使用される。物理チャネルは情報が実際に転送される無線プラットフォームを提供し、且つ無線回線上で通信及びユーザー・データを搬送するのに役立つ「伝送メディア」である。物理チャネルは一般的に周波数スクランブル符号とチャネル化符号の組合せを含む。上り回線方向では、相対位相がまた含まれる。異なるいくつかの物理チャネルは移動局がしようと試みていることに基づいて上り回線方向で使用される。ＵＭＴＳシステムでは、術語「物理チャネル」はＵｕインタフェース上で異なる目的に割当てられた異なる種類の帯域幅を云う。物理チャネルはユーザー装置（ＵＥ）領域とネットワーク接続領域との間にＵｕインタフェースの物理的存在を形成する。物理チャネルは空中インタフェース上でデータを転送するために使用される物理的写像及び属性によって定義される。
【００１９】
術語「搬送チャネル（transport channel）」はピア物理層エンティティー（peer physical layer entities）間のデータ搬送のための通信ルートを参照するようにここに使用される。搬送チャネルは情報が伝送される方法に関係する。一般に、共通搬送チャネル（Common Transport Channels）と専用搬送チャネル（Dedicated Transport Channels）として知られている二つの形式の搬送チャネルがある。搬送チャネルは、例えば、専用または共通物理チャネル、或いは論理チャネルの多重化のいずれかを使用して、どのように及びどのような特性のデータが空中インタフェース上で物理層に転送されるかによって定義される。搬送チャネルは物理層のためのサービス・アクセス・ポイント（ＳＡＰ）としての役目をする。ＵＭＴＳシステムでは、搬送チャネルはいかに論理チャネルが転送され、且つこれらの情報の流れを物理チャネルに写像するかを記述する。搬送チャネルはメディア・アクセス制御（Medium Access Control：ＭＡＣ）層と物理層（ＬＩ）との間で信号及びユーザー・データを搬送するために使用される。無線ネットワーク制御器（Radio Network Controller：ＲＮＣ）は搬送チャネルを見る。情報は物理チャネルに写像されるいくつかの搬送チャネルのいずれか一つでＭＡＣ層から物理層へ渡される。
【００２０】
術語「論理チャネル」は特定の形式の情報の転送に専用の情報ストリームまたは無線インタフェースを参照するようにここに使用される。論理チャネルは伝送される情報に関係する。論理チャネルはどんな形式の情報、例えば、通信またはユーザー・データが転送されるかによって定義され、ネットワーク及び端末が異なる時点で実行すべき異なるタスクとして理解される。論理チャネルは移動局領域とアクセス領域との間で実際の情報転送を行う搬送チャネルに写像される。情報は物理チャネルに写像される搬送チャネルを介して写像される論理チャネルを経由して渡される。
【００２１】
術語「専用チャネル（dedicated channel）」は一般的に特定のユーザーに専用または用意され、且つ情報を特定の移動局、加入者ユニット、またはユーザー設備からまたはそこへ搬送するチャネルを参照するようにここに使用される。専用チャネルは一般的にあるユーザー向けの情報を搬送し、高位層制御情報と同様に実際のサービスのためのデータを含む。専用チャネルは或る周波数の或る符号によって識別される。専用チャネルは潜在的にフィードバックを可能にするために双方向性である。
【００２２】
術語「共通チャネル（common channel）」は多数の移動局へ／から情報を搬送する搬送チャネルを参照するようにここに使用される。共通チャネルでは、情報は全ての移動局の間で共有される。共通チャネルは全てのユーザーまたは一群のセル中のユーザーの間で分配される。
【００２３】
術語「二地点間（PointーtoーPoint：ＰＴＰ）通信は専用物理通信チャネル上で単独の移動局に伝送される通信を意味するようにここに使用される。
【００２４】
術語「放送通信（broadcast communication）」もしくは「 一地点対多地点（PointーtoーMultipoint：ＰＴＭ）通信」は共通通信チャネル上で複数の移動局への通信を参照するようにここに使用される。
【００２５】
術語「逆方向回線（reverse link）または上り回線チャネル（uplink channel）」は移動局が無線接続ネットワークにおいて信号を基地局に送る通信チャネル／回線を参照するようにここに使用される。このチャネルはまた移動局から移動局へ、もしくは移動局から基地局へ信号を伝送するために使用される。
【００２６】
術語「順方向回線（forward link）または下り回線チャネル（downlink channel）」は無線接続ネットワークが信号を移動局に送る通信チャネル／回線を意味するようにここに使用される。
【００２７】
術語「伝送時間間隔（Transmission Timing Interval：ＴＴＩ）」はどのくらいの頻度でデータが高位層から物理層まで到着するかを参照するようにここに使用される。伝送時間間隔（ＴＴＩ）は搬送ブロック集合（Transport Block Set：ＴＢＳ）の到着時間間隔を云い、ＴＢＳが無線インタフェース上で物理層によって転送される周期にほぼ等しい。ＴＴＩの間に搬送チャネル上で送られるデータは符号化され、一緒にインタリーブされる。ＴＴＩは多数の無線フレームにわたり、最小インタリーブ期間の倍数である。単独接続のために共に多重化される異なる搬送チャネルに関するＴＴＩの開始位置は時間整列される。ＴＴＩは共通の開始点を有する。メディア・アクセス制御は一つの搬送ブロック集合をＴＴＩごとに物理層に配送する。同じ物理チャネル上に写像される異なる搬送チャネルは異なる伝送時間間隔（ＴＴＩ）継続期間を有する。多数のＰＤＵは一つのＴＴＩにおいて送られる。
【００２８】
術語「パケット」は一群のビットを意味するようにここに使用され、特定のフォーマットに配列されたデータまたはペイロード及び制御要素を含む。制御要素は、例えば、プリアンブル、品質計量基準、及び当業者に既知の他のものを含む。品質計量基準は、例えば、巡回冗長度検査（ＣＲＣ）、パリティ・ビット及び当業者に既知の他のものを含む。
【００２９】
術語「接続ネットワーク（access network）」はネットワークにアクセスするのに必要な装置を意味するようにここに使用される。接続ネットワークは基地局（ＢＳ）の集合（collection）及びネットワーク（network）及び一以上の基地局制御器（ＢＳＣ）を含む。接続ネットワークは多数の加入者局の間でデータ・パケットを搬送する。接続ネットワークはさらに企業イントラネットまたはインターネットのような接続ネットワークの外で追加のネットワークと接続され、アクセス端末とそのような外側のネットワークとの間でデータ・パケットを搬送する。ＵＭＴＳシステムでは、接続ネットワークはＵＭＴＳ地上無線接続ネットワーク（UMTS Terrestrial Radio Access Network：ＵＴＲＡＮ）と呼ばれる。
【００３０】
術語「中核ネットワーク（core network）」は回線交換（ＣＳ）領域における回線交換呼出のための公衆交換電話ネットワーク（Public Switched Telephone Network：ＰＳＴＮ）及びパケット交換（ＰＳ）領域におけるパケット交換呼出のためのパケット・データネットワーク（ＰＳＤＮ）のいずれかに接続するための交換（switching）及び経路割当（routing）能力を参照するようにここに使用される。術語「中核ネットワーク」はまた移動性及び加入者場所管理、及び認証サービスのための経路割当能力を言う。中核ネットワークは交換及び加入者制御のために必要なネットワーク要素を含む。
【００３１】
術語「基地局」は移動局が通信するハードウェアを含む「発信局（origination station）」を参照するようにここに使用される。 ＵＭＴＳシステムでは、術語「ノードＢ」は術語「基地局」と互換的に使用される。基地局は固定されているか、移動する。
【００３２】
術語「セル」はその術語が使用される文脈に応じてハードウェアか地理的な受信区域のいずれかを参照するようにここに使用される。
【００３３】
術語「サービス・データ・ユニット（Service Data Unit：ＳＤＵ）」は関心のプロトコル上方にあるプロトコルと交換されるデータ・ユニットを参照するようにここに使用される。
【００３４】
術語「ペイロード・データ・ユニット（Payload Data Unit：ＰＤＵ）は関心のプロトコル下方にあるプロトコルと交換されるデータ・ユニットを参照するようにここに使用される。関心のプロトコルの同一性が曖昧であれば、名前に特定の記載が行われるであろう。例えば、ＦＥＣーＰＤＵはＦＥＣ層のＰＤＵである。
【００３５】
術語「ソフト・ハンドオフ（soft handoff）」は加入者局と二つ以上のセクタとの間の通信を意味するようにここに使用され、ここでは各セクタは異なるセルに属する。逆方向回線通信は双方のセクタによって受信され、順方向回線通信は二つ以上のセクタの順方向回線上で同時に搬送される。
【００３６】
術語「よりソフトなハンドオフ（softer handoff）」は加入者局と二つ以上のセクタとの間の通信を意味するようにここに使用され、ここでは各セクタは同じセルに属する。逆方向回線通信は双方のセクタによって受信され、順方向回線通信は二つ以上のセクタの順方向回線の一つで同時に搬送される。
【００３７】
術語「抹消（erasure）」はメッセージを認識することの不成功を意味するようにここに使用され、また復号の時に見逃している一組のビットを参照するように使用される。
【００３８】
術語「交差移行（cross transition）」は二地点間（ＰＴＰ）伝送から一地点対多地点（ＰＴＭ）伝送への移行、等々として定義される。逆も同様である。セルＡにおける二地点間（ＰＴＰ）伝送からセルＢにおける一地点対多地点（ＰＴＭ）伝送へ、セルＡにおける一地点対多地点（ＰＴＭ）伝送からセルＢにおける二地点間（ＰＴＰ）伝送へ、セルＡにおける二地点間（ＰＴＰ）伝送からセルＡにおける一地点対多地点（ＰＴＭ）伝送へ、及びセルＡにおける一地点対多地点（ＰＴＭ）伝送からセルＡにおける二地点間（ＰＴＰ）伝送への四つの可能な交差移行がある。
【００３９】
術語「直接移行（direct transition）」は一つの二地点間伝送から別の二地点間伝送及び一地点対多地点伝送から一地点対多地点伝送への移行として定義される。セルＡにおける二地点間（ＰＴＰ）伝送からセルＢにおける二地点間（ＰＴＰ）伝送へ、及びセルＡにおける一地点対多地点（ＰＴＭ）伝送からセルＢにおける一地点対多地点（ＰＴＭ）伝送への二つの可能な直接移行がある。
【００４０】
術語「セル間移行（interーcell transition）」はセル境界を越える移行を参照するように使用される。セルＡにおける二地点間（ＰＴＰ）伝送からセルＢにおける二地点間（ＰＴＰ）伝送へ、セルＡにおける一地点対多地点（ＰＴＭ）伝送からセルＢにおける一地点対多地点（ＰＴＭ）伝送へ、セルＡにおける二地点間（ＰＴＰ）伝送からセルＢにおける一地点対多地点（ＰＴＭ）伝送へ、及びセルＡにおける一地点対多地点（ＰＴＭ）伝送からセルＢにおける二地点間（ＰＴＰ）伝送への四つの可能なセル間移行がある。一般に最も頻繁な移行はセル境界を越える一地点対多地点（ＰＴＭ）伝送への一地点対多地点（ＰＴＭ）伝送である。
【００４１】
術語「セル内移行（intraーcell transition）」は一つのモードから別のモードへのセル内の移行を参照するように使用される。セルＡにおける二地点間（ＰＴＰ）伝送からセルＡにおける一地点対多地点（ＰＴＭ）伝送へ、及びセルＡにおける一地点対多地点（ＰＴＭ）伝送からセルＡにおける二地点間（ＰＴＰ）伝送への二つの可能なセル内移行がある。
【００４２】
術語「無線担体（radio bearer）」はユーザー装置（ＵＥ）とＵＭＴＳ地上無線接続ネットワーク（ＵＴＲＡＮ）との間でユーザー・データの転送のための層２によって提供されるサービスを参照するように使用される。
【００４３】
上記の形態がＷーＣＤＭＡもしくはＵＭＴＳ通信システムにおいて実施される本発明の実施例はこれから論じられる。図１〜５Ｃはここに記述された発明の形態が例示及び限定の目的のために提示されている従来のＵＭＴＳまたはＷーＣＤＭＡシステムのいくつかの形態を説明する。本発明の形態はまた「第３世代共同プロジェクト（3rd Generation Partnership Project：３ＧＰＰ）」に準拠するＧＳＭ（登録商標）システム及びＣＤＭＡ２０００システムといった音声及びデータの両方を搬送する他のシステムにも適用可能であり、文書番号３Ｇ  ＴＳ２５．２１１、３Ｇ  ＴＳ２５．２１２、３Ｇ  ＴＳ２５．２１３、及び３Ｇ  ＴＳ２５．２１４（ＷーＣＤＭＡ規格）、または「ＴＲー４５．５  ｃｄｍａ２０００スペクトル拡散システム」（ＩＳ２０００規格）、及びＴＳ０４．０８（移動無線インタフェース層３仕様）、ＴＳ０５．０８（無線サブシステム回線制御）、及びＴＳ０５．０１（無線経路上の物理層（一般記述））といったＧＳＭ仕様を含む一組の文書において具体化できることは認識されるべきである。
【００４４】
例えば、無線接続ネットワーク２０は、代りに、ＧＳＭ／ＧＰＲＳシステムにおいて全地上無線接続ネットワーク（ＵＴＲＡＮ）空中インタフェースを使用して実施されることをその記述は明記しているけれども、無線接続ネットワーク２０はＧＳＭ／ＥＤＧＥ無線接続ネットワーク（ＧＥＲＡＮ）であり、相互システムの場合にはそれはＵＴＲＡＮ空中インタフェースのセル及びＧＳＭ／ＥＤＧＥ空中インタフェースのセルを含む。
【００４５】
ＵＭＴＳネットワークトポロジー
図１はＵＭＴＳネットワークトポロジーによる通信システムのブロック図である。ＵＭＴＳシステムはユーザー装置（ＵＥ）１０、接続ネットワーク２０、及び中核ネットワーク３０を含む。ＵＥ１０は外部ネットワークに接続される中核ネットワーク３０に接続される接続ネットワークに接続される。
【００４６】
ＵＥ１０はユーザーの予約情報を含む移動装置１２及び汎用加入者証明モジュール（Universal Subscriber Identity Module：ＵＳＩＭ）１４を含む。Ｃｕインタフェース（示されていない）はＵＳＩＭ１４と移動装置１２との間の電気インタフェースである。ＵＥ１０は一般にユーザーがＵＳＩＭネットワークサービスにアクセスすることを可能にするデバイスである。ＵＥ１０は携帯電話、固定局、または他のデータ端末といった移動体である。移動装置は、例えば、空中インタフェース（Ｕｕ）上で無線通信のために使用される無線端末である。ＵｕインタフェースはＵＥがシステムの固定部分にアクセスするインタフェースである。ＵＳＩＭは一般にマイクロプロセッサを含む「スマートカード（smartcard）」もしくは他の論理カードに在駐するアプリケーションである。スマートカードは加入者証明を保持し、認証アルゴリズムを実行し、そして端末で必要とされる暗号化鍵及び加入情報における認証を記憶する。
【００４７】
接続ネットワーク２０はネットワークにアクセスするための無線装置を含む。ＷーＣＤＭＡシステムでは、接続ネットワーク２０は汎用地上無線接続ネットワーク（Universal Terrestrial Radio Access Network：ＵＴＲＡＮ）空中インタフェースである。ＵＴＲＡＮは少なくとも一つの無線ネットワーク制御器（ＲＮＣ）２４に接続された少なくとも一つの基地局または「ノードＢ」２２を含む少なくとも一つの無線ネットワークサブシステム（ＲＮＳ）を含む。
【００４８】
ＲＮＣはＵＴＲＡＮの無線資源を制御する。接続ネットワーク２０のＲＮＣ２４はＩｕインタフェースを介して中核ネットワーク３０と通信する。Ｕｕインタフェース、Ｉｕインタフェース２５、Ｉｕｂインタフェース、及びＩｕｒインタフェースは異なる供給メーカーからの装置間の相互接続動作を可能にし、３ＧＰＰ規格に明記されている。無線ネットワーク制御器（ＲＮＣ）の実装は供給メーカーによって様々であり、従って下記に一般論として示されるであろう。
【００４９】
無線ネットワーク制御器（ＲＮＣ）２４はＵＭＴＳ地上無線接続ネットワーク（ＵＴＲＡＮ）の切替及び制御要素としての役目があり、ＩｕｂインタフェースとＩｕインタフェース２５との間に位置する。ＲＮＣはＵＴＲＡＮが中核ネットワーク３０に提供する全てのサービス、例えば、ユーザー装置への接続の管理のためのサービス・アクセス・ポイントとして働く。Ｉｕｂインタフェース２３はノードＢ２２及び無線ネットワーク制御器（ＲＮＣ）２４に接続する。ＩｕインタフェースはＵＴＲＡＮを中核ネットワークに接続する。無線ネットワーク制御器（ＲＮＣ）はＩｕ担体（Iu bearer）と基地局との間に切替点を提供する。ユーザー装置（ＵＥ）１０はそれ自身と無線ネットワーク制御器（ＲＮＣ）との間にいくつかの無線担体を有する。無線担体はユーザー装置（ＵＥ）と無線ネットワーク制御器（ＲＮＣ）との間の共通接続及び専用接続を用意するためにＩｕｂによって必要とされる一組の定義であるユーザー装置（ＵＥ）文脈と関係がある。それぞれのＲＮＣ２４は異なるノード２２に接続されたセル間のソフト・ハンドオーバーを可能にする任意のＩｕｒインタフェース上で相互に通信する。ＩｕｒインタフェースはこのようにＲＮＣ間接続を可能にする。そのような場合には、サービスＲＮＣは中核ネットワーク３０へのＩｕ接続２５を維持し、選択器及び外部ループ電力制御機能を実行し、一方、遊休ＲＮＣは一以上の基地局２２経由で移動局１０ にＩｕｒインタフェース上で交換できるフレームを転送する。
【００５０】
一つのノードＢを制御するＲＮＣはノードＢの制御ＲＮＣと云われ、それ自身のセルの負荷及び混雑状態を制御し、且つまたそれらのセルにおいて確立されるべき新しい無線回線のための承認制御及び符号割当を実行する。
【００５１】
ＲＮＣ及び基地局（またはノードＢ）はＩｕｂインタフェース２３を経由して接続され及びその上で通信する。 ＲＮＣは特定のＲＮＣ２４に接続された各基地局２２による無線資源の使用を制御する。各基地局２２は一以上のセルを制御し、且つ移動局１０に無線回線を提供する。基地局はチャネル符号化及びインタリーブといったインタフェース処理、伝送率適応及び拡散を実行する。基地局はまたループ間電力制御といった基礎的な無線資源管理操作を行う。基地局２２はＩｕｂ及びＵｕインタフェース２３、２６の間のデータ流を変換する。基地局２２はまた無線資源管理に関与する。空中インタフェースＵｕ２６は各基地局２２を移動局１０に接続する。基地局は移動局１０への一以上のセルにおける無線伝送、及び移動局１０からの一以上のセルにおける無線受信に関与する。
【００５２】
中核ネットワーク３０は（１）回路交換呼出があればＰＳＤＮ４２、またはパケット交換呼出があればパケット・データネットワーク（ＰＤＮ）何れかに接続すること、（２）移動性及び加入者場所管理、及び（３）認証サービスのための全ての交換（switching）及び経路指定（routing）能力を含む。中核ネットワーク３０は定位置レジスタ（ＨＬＲ）３２、移動交換サービス・センター／ビジター位置レジスタ（ＭＳＣ／ＶＬＲ）３４、ゲートウェイ移動交換センター（ＧＭＳＣ）３６、一般サービス・パケット無線サービス支援ノード（ＳＧＳＮ）３８、ゲートウェイＧＰＲＳ支援ノード（ＧＧＳＮ）４０を含む。
【００５３】
中核ネットワーク３０は、パケット交換呼出があれば、公衆交換電話ネットワーク（ＰＴＳＮ）またはＩＳＤＮといった回路交換接続を提供する外部回路交換（ＣＳ）ネットワーク４２に接続されるか、もしくはパケット交換呼出があればパケット・データ・サービスの接続を提供するインターネットのようなＰＳネットワーク４４に接続される。
【００５４】
ＵＭＴＳ信号プロトコル・スタック
図２はＵＭＴＳ信号プロトコル・スタック１１０のブロック図である。ＵＭＴＳ信号プロトコル・スタック１１０はアクセス階層及び非アクセス階層（ＮＡＳ）を含む。
【００５５】
アクセス階層は一般的に物理層１２０、メディア・アクセス制御（ＭＡＣ）層１４０及び無線回線制御（ＲＬＣ）層１５０を含む層２（１３０）、及び無線資源制御（ＲＲＣ）層１６０を含む。アクセス階層の様々な層は下記でさらに詳細に述べられる。
【００５６】
ＵＭＴＳ非アクセス階層はＧＳＭ上位層と本質的に同じであり、回路交換部分１７０とパケット交換部分１８０に分割される。回路交換部分１７０は接続管理（ＣＭ）層１７２及び移動性管理（ＭＭ）層１７８を含む。ＣＭ層１７２は回路交換呼出を扱い、様々な下位層（sublayers）を含む。呼出制御（ＣＣ）下位層１７４は構築（establish）及び解除（release）といった機能を実行する。補助サービス（ＳＳ）下位層１７６は呼出転送及び三方向呼出（threeーway calling）といった機能を実行する。短メッセージ・サービス（ＳＭＳ）下位層１７７は短いメッセージ・サービスを実行する。ＭＭ層１７８は場所更新及び回路交換呼出の認証を扱う。パケット交換部分１８０はセッション管理（ＳＭ）下位層１８２及びＧＰＲＳ移動性管理（ＧＭＭ）下位層１８４を含む。セッション管理（ＳＭ）下位層１８２は構築及び解除といった機能を実行することによるパケット交換呼出を扱い、また短メッセージ・サービス（ＳＭＳ）部１８３を含む。ＧＭＭ下位層１８４は場所更新及びパケット交換呼出の認証を扱う。
【００５７】
図３はＵＭＴＳプロトコル・スタックのパケット交換ユーザー平面（plane）のブロック図である。そのスタックはアクセス階層（ＡＳ）層及び非アクセス階層（ＮＡＳ）層を含む。ＮＡＳ層はアプリケーション層８０及びパケット・データ・プロトコル（ＰＤＰ）層９０を含む。アプリケーション層８０はユーザー装置（ＵＥ）１０と遠隔ユーザー４２との間に提供される。ＩＰまたはＰＰＰといったＰＤＰ層９０はＧＧＳＮ４０とユーザー装置（ＵＥ）１０との間に提供される。低位層パケット・プロトコル（ＬＬＰＰ）３９は遠隔ユーザー４２とＳＧＳＮ３８との間に提供される。Ｉｕインタフェース・プロトコル２５は無線ネットワーク制御器（ＲＮＣ）２４とＳＧＳＮ３８との間に提供され、Ｉｕｂインタフェース・プロトコルは無線ネットワーク制御器（ＲＮＣ）２４とノードＢ２２との間に提供される。ＡＳ層の他の部分は下記に示される。
【００５８】
アクセス階層（ＡＳ）層
図４はＵＭＴＳ信号プロトコル・スタックのアクセス階層部分のブロック図である。従来のアクセス階層は物理層（Ｌ１） １２０、メディア・アクセス制御（ＭＡＣ）層１４０、無線回線制御（ＲＬＣ）層１５０、パケット・データ収束プロトコル（ＰＤＣＰ）層１５６、放送／マルチキャスト制御（ＢＭＣ）層１５８を含む下位層を有するデータ回線層（Ｌ２）１３０、及び無線資源制御（ＲＲＣ）層１６０を含む。これらの層はさらに下記で述べられる。
【００５９】
無線担体はアプリケーション層と層２（Ｌ２）１３０との間でユーザー・データ１６３を搬送する。制御平面信号１６１は全てのＵＭＴＳ特定制御信号のために使用され、アプリケーション・プロトコル・メッセージを搬送するための信号担体にアプリケーション・プロトコルを含む。アプリケーション・プロトコルはＵＥ１０に担体を設定するために使用される。ユーザー平面は音声呼出における符号化音声またはインターネット接続におけるパケットといったユーザーによって送られ、且つ受取られた全てのユーザー平面情報１６３を搬送する。ユーザー平面情報１６３はデータ・ストリームとこれらのデータ・ストリームに関するデータ担体を搬送する。各データ・ストリームはそのインタフェースについて指定された一以上のフレーム・プロトコルによって特性が決定される。
【００６０】
無線資源制御（ＲＲＣ）層１６０はアクセス階層の全体の制御器として機能し、アクセス階層における他の全ての層を構成する。ＲＲＣ層１６０は無線回線制御ユニット１５２、物理層（Ｌ１）１２０、メディア・アクセス制御（ＭＡＣ）層１４０、無線回線制御（ＲＬＣ）層１５０、パケット・データ収束プロトコル（ＰＤＣＰ）層１５６、及び放送／マルチキャスト制御（ＢＭＣ）層１５８を制御する制御平面信号１６１を生成する。無線資源制御（ＲＲＣ）層１６０は行うべき測定の形式を決定し、それらの測定を通報する。ＲＲＣ層１６０はまた非アクセス階層に対する制御及び信号インタフェースとしての役目をする。
【００６１】
特に、ＲＲＣ層１６０はアクセス階層及び非アクセス階層の両方を含むシステム情報メッセージを全てのユーザー装置（ＵＥ）１０に放送する。ＲＲＣ層１６０はＵＴＲＡＮ２０とＵＥ１０との間の無線資源制御（ＲＲＣ）接続を確立し、維持し、且つ解除する。ＵＥ  ＲＲＣは接続を要求し、一方、ＵＴＲＡＮ  ＲＲＣは接続を設定し、且つ解除する。ＲＲＣ層１６０はまたこれらの動作を開始するＵＴＲＡＮ２０によってＵＴＲＡＮ２０とＵＥ１０との間の無線担体を確立し、再構成し、且つ解除する。
【００６２】
ＲＲＣ層１６０はまたユーザー装置（ＵＥ）１０の移動性の様々な形態を扱う。これらの手順はＵＥ状態、即ち呼出が回路交換呼出或いはパッケット交換呼出かどうか、及び新しいセルの無線接続技術（ＲＡＴ）に依存する。ＲＲＣ層１６０はまたＵＥ１０にページ付けをする。ＵＴＲＡＮ  ＲＲＣはＵＥがページング・チャネルを聞いているか、ページング指標チャネルを聞いているかに拘わらずＵＥにページ付けをする。ＵＥのＲＲＣは中核ネットワーク（ＣＮ）３０の上位層に通告する。
【００６３】
データ回線層（Ｌ２）１３０はメディア・アクセス制御（ＭＡＣ）下位層４０、無線回線制御（ＲＬＣ）下位層１５０、パケット・データ収束プロトコル（ＰＤＣＰ）下位層１５６、及び放送／マルチキャスト制御（ＢＭＣ）下位層１５８を含む。
【００６４】
放送及びマルチキャスト制御プロトコル（ＢＭＣ）１５８は、無線インタフェース上の放送領域から発信する放送／マルチキャストサービスを適応させることによってセル放送センターから発信するメッセージを無線インタフェース上で搬送する。ＢＭＣプロトコル１５８は「無線担体（a radio bearer）」と呼ばれるサービスを提供し、ユーザー平面に存在する。ＢＭＣプロトコル１５８及びＲＮＣは予定計画された伝送のためにＣＢＣーＲＮＣ上で受信されたセル放送メッセージを記憶する。ＵＴＲＡＮ側で、ＢＭＣ１５８はＣＢＣーＲＮＣインタフェース（示されていない）上で受信されるメッセージに基づいてセル放送サービスのために必要な伝送率を計算し、ＲＲＣから適切なＣＴＣＨ／ＦＡＣＨ資源を要求する。ＢＭＣプロトコル１５８はまたＣＢＣーＲＮＣインタフェース上で各セル放送メッセージと共に予定計画情報を受取る。この予定計画情報に基づいて、ＵＴＲＡＮ側でＢＭＣは予定計画されたメッセージ、従って予定計画されたＢＭＣメッセージを生成する。ユーザー装置側で、ＢＭＣは予定計画メッセージを推定し、そして不連続受信に関して低位層を構成するためにＲＲＣによって使用されるＲＲＣに予定計画パラメータを示す。ＢＭＣはまた予定計画に従って予定計画及びセル放送メッセージを伝送する。破損していないセル放送メッセージは上位層に配送される。ＵＥ１０とＵＴＲＡＮ２０との間の制御信号の一部は層２プロトコル１３０及び層１プロトコル１２０エンティティーを設定し、修正し、且つ解除するために必要な全てのパラメータを搬送する無線資源制御（ＲＲＣ）１６０メッセージである。ＲＲＣメッセージは全ての高位層信号をそれらのペイロード中で搬送する。無線資源制御（ＲＲＣ）は測定、引継ぎ及びセル更新といった信号によって接続モードにおけるユーザー装置の移動性を制御する。
【００６５】
パケット・データ収束プロトコル（ＰＤＣＰ）１５６はＰＳ領域からのサービスのためのユーザー平面に存在する。ＰＤＣＰによって提供されるサービスは無線担体と呼ばれる。パケット・データ収束プロトコル（ＰＤＣＰ）はヘッダー圧縮サービスを提供する。パケット・データ収束プロトコル（ＰＤＣＰ）１５６はＩＰパケットを無線上で伝送するサービスについてより良いスペクトル効率を提供する圧縮方法を含む。いくつかのヘッダー圧縮アルゴリズムはどれでも利用することができる。ＰＤＣＰは伝送エンティティーにおいて冗長なプロトコル情報を圧縮し、受信エンティティーにおいて解凍する。ヘッダー圧縮方法は特定のネットワーク層、搬送層、または上位層プロトコルの組合せ、例えば、ＴＣＰ／ＩＰ及びＲＴＰ／ＵＤＰ／ＩＰに特有である。ＰＤＣＰはまたそれが非アクセス層からＰＤＣＰサービス・データ・ユニット（ＳＤＵ）の形で受取るユーザー・データを転送し、それらをＲＬＣエンティティーに送る。逆もまた同じである。ＰＤＣＰはまた損失のないＳＲＮＳ再配置に対する支援を行う。ＰＤＣＰが肯定応答モード（Acknowledged Mode：ＡＭ）ＲＬＣを系列配送において使用するとき、損失ＲＳＲＮＳ再配置を支援するために構成されるＰＤＣＰエンティティーはプロトコル・データ・ユニット（ＰＤＵ）系列番号を持ち、それは未確認ＰＤＣＰパケットと共に再配置の間に新しいＳＲＮＣに送られる。
【００６６】
ＲＬＣ層１５０はＵＥ側では高位層プロトコルによって使用され、ＵＴＲＡＮ側ではＩＵＲＮＡＰプロトコルによって使用されるサービス・アクセス・ポイント（ＳＡＰ）を経由して高位層（例えば、非アクセス階層）にサービスを提供する。サービス・アクセス・ポイント（ＳＡＰ）は如何にＲＬＣ層がデータ・パケットを扱うかを記述する。移動性管理、呼出制御、セッション管理、等々といった全ての高位層信号は無線インタフェースの伝送に関するＲＬＣメッセージにカプセル化される。ＲＬＣ層１５０は信号情報及びユーザー・データを搬送する論理チャネルを経由してＭＡＣ層１４０に接続された様々な無線回線制御エンティティー１５２を含む。
【００６７】
制御平面１６１上で、ＲＬＣサービスは信号配送についてＲＬＣ層によって使用される。ユーザー平面１６３上で、ＲＬＣサービスはサービス特定プロトコル層ＰＤＣＰまたはＢＭＣ、 或いは他の高位層ユーザー平面機能のいずれかによって使用される。ＲＬＣサービスは制御平面１６１では信号無線担体、そしてＰＤＣＰ１５６及びユーザー平面プロトコルを利用しないサービスに関するユーザー平面１６３では無線担体と呼ばれる。言い換えれば、ＲＬＣ層１５０は制御平面１６１では信号無線担体（ＳＲＢ）と呼ばれるサービスを提供し、ＰＤＣＰ及びＢＭＣがそのサービスによって使用されなければユーザー平面１６３において無線担体（ＲＢ）と呼ばれるサービスを提供する。他の場合は、ＲＢサービスはＰＤＣＰ層１５６またはＢＭＣ層１５８によって提供される。
【００６８】
無線回線制御（ＲＬＣ）層１５０はユーザー及び制御データに対してフレーム化機能を実行し、それはセグメント化（segmentation）／連結（concatenation）及び詰込み（padding）機能を含む。ＲＬＣ層１５０は一般的に制御平面１６１における制御データについて無線資源制御（ＲＲＣ）層に、ユーザー平面１６３におけるユーザー・データについてアプリケーション層に分割及び連結サービスを提供する。ＲＬＣ層は一般的により小さなＲＬＣプロトコル・データ・ユニット（ＰＤＵ）に／から可変長高位層プロトコル・データ・ユニット（ＰＤＵ）のセグメント化／再構築を実行する。一つの無線回線制御（ＲＬＣ）プロトコル・データ・ユニット（ＰＤＵ）は一般的に一つのＰＤＵを持つ。無線回線制御（ＲＬＣ）ＰＤＵの大きさは、例えば、無線回線制御（ＲＬＣ）を使用してサービスの最小の可能なビット率に従って設定される。下記で論じられるように、可変ビット率サービスについて、それが使用した最低のものよりあらゆるビット率が高いとき、いくつかの無線回線制御（ＲＬＣ）ＰＤＵは１伝送時間間隔（ＴＴＩ）の間に伝送される。ＲＬＣ伝送エンティティーはまた連結を実行する。無線回線制御（ＲＬＣ）サービス・データ・ユニット（ＳＤＵ）のコンテンツが整数個の無線回線制御（ＲＬＣ）ＰＤＵを満たさなければ、次の無線回線制御（ＲＬＣ）ＳＤＵの最初のセグメントは前のＲＬＣ  ＳＤＵの最後のセグメントと連結して無線回線制御（ＲＬＣ）ＰＤＵに入れられる。ＲＬＣ伝送エンティティーはまた詰込み機能を実行する。伝送されるべき残りデータがある大きさの全体の無線回線制御（ＲＬＣ）ＰＤＵを満たさなければ、そのデータ・フィールドの残りは詰込みビットによって充填される。図１１〜１３を参照して下記で論じられる発明の形態に従って、例えば、利用される詰込み量を低減或いは除去するための技術が提供される。
【００６９】
ＲＬＣ受信エンティティーは受信された無線回線制御（ＲＬＣ）ＰＤＵの重複を検知して、高位層ＰＤＵにおける結果が上位層に配送されることを保証する。ＲＬＣ層はまたＰＲＬＣ伝送エンティティーがＲＬＣ受信エンティティーに情報を送る伝送率を制御する。
【００７０】
図５ＡはＵＭＴＳ信号プロトコル・スタックの無線回線制御（ＲＬＣ）層において使用されるデータ転送モードを例示し、アクセス階層に関して論理、搬送及び物理ＵＭＴＳチャネルの可能な写像を示すブロック図である。当業者は全ての写像が或るユーザー装置（ＵＥ）について同時に必ずしも定義されるとは限らないこと、及びいくつかの写像の多重インスタンス化が同時に起こることを理解するであろう。例えば、音声呼出は三つの専用チャネル（ＤＣＨ）搬送チャネルに写像された三つの専用トラヒック・チャネル（ＤＴＣＨ）論理チャネルを使用するであろう。さらに、ＣＰＩＣＨ、ＳＣＨ、ＤＰＣＣＨ、ＡＩＣＨ及びＰＩＣＨといった、図５に示されたいくつかのチャネルは物理層文脈で存在し、上位ユーザー層信号及びユーザー・データを搬送しない。これらのチャネルのコンテンツは物理層１２０（Ｌ１）において定義される。
【００７１】
無線回線制御（ＲＬＣ）層における各ＲＬＣインスタンスは三つのモードの一つ：トランスペアレントモード（ＴＭ）、否定応答モード（ＵＭ）、または肯定応答モード（ＡＭ）において動作する無線資源制御（ＲＲＣ）層によって構成され、それは図５Ｂを参照して下記で詳細に説明される。三つのデータ転送モードは無線回線制御（ＲＬＣ）が論理チャネルのために構成されるモードを示す。トランスペアレント及び否定応答モードＲＬＣエンティティーは一方向性であると定義され、一方、肯定応答モードエンティティーは双方向性である。通常、全てのＲＬＣモードについて、ＣＲＣ誤り検知は物理層上で行われ、ＣＲＣ検査の結果は実際のデータと共にＲＬＣに配送される。各モードの特定の要求に応じて、これらのモードはＲＬＣ１５０のいくつかまたは全ての機能を実行し、それはセグメント化、再構成、連結、詰込み、再伝送制御、流れ制御、重複検知、不連続配送、誤り訂正及び暗号化を含む。これらの機能は図５Ｂ及び５Ｃを参照して下記でさらに詳細に述べられる。ここに論じられた発明の形態に従って、新しい無線回線制御（ＲＬＣ）データ転送モードが提供される。
【００７２】
ＭＡＣ層１４０は伝送されるデータの形式によって特性が決まる論理チャネルによってＲＬＣ層１５０にサービスを提供する。メディア・アクセス制御（ＭＡＣ）層１４０は論理チャネルを搬送チャネルに写像し、且つ多重化する。ＭＡＣ層１４０は共通チャネル上にあるユーザー装置（ＵＥ）を識別する。ＭＡＣ層１４０はまた高位層ＰＤＵを共通搬送チャネルへ／から配送される搬送ブロックに／から高位層ＰＤＵを多重化／逆多重化する。ＭＡＣはそれが物理層において行われないので、共通搬送チャネルについて多重化するサービスを扱う。共通搬送チャネルが専用型論理チャネルからデータを搬送するとき、メディア・アクセス制御（ＭＡＣ）ヘッダーはＵＥの識別を含む。ＭＡＣ層はまた専用チャネル上で物理層へまたは物理層から配送される搬送ブロック集合に／から高位層ＰＤＵを多重化／逆多重化する。
【００７３】
ＭＡＣ層１４０はＲＬＣ伝送バッファ内のデータの量に関する状態情報と共にＲＬＣ  ＰＤＵを受取る。ＭＡＣ層１４０は搬送チャネルに対応するデータの量をＲＲＣ層１６０によって設定された閾値と比較する。データの量があまりにも高く、或いはあまりにも低ければ、ＭＡＣはトラヒック量状態に関する測定報告をＲＲＣに送信する。ＲＲＣ層１６０はまたＭＡＣ層１４０が定期的にこれらの測定を送信することを要求する。ＲＲＣ層１６０は無線担体及び／または搬送チャネルの再構成を始動するためにこれらの報告を使用する。
【００７４】
ＭＡＣ層は論理チャネルの瞬間的な源伝送率（source rates）に応じた各搬送チャネルについて適切な搬送フォーマット（ＴＦ）を選択する。ＭＡＣ層１４０は異なるデータ流について「高ビット率」及び「低ビット率」搬送フォーマット（ＴＦ）を選択することによってデータ流の優先扱いを行う。パケット交換（ＰＳ）データは本来突発的であり、従って送るべき利用可能なデータの量はフレームごとに変化する。さらに多くのデータが利用可能であるとき、ＭＡＣ層１４０はより高いデータ率の一つを選択するが、しかしながら信号及びユーザー・データの両方が利用可能であるとき、ＭＡＣ層１４０はより高い優先チャネルから送られるデータの量を最大にするためそれらの間から選択をする。搬送フォーマット（ＴＦ）は各接続について承認制御によって定義される搬送フォーマット組合せ（ＴＦＣ）に関して選択される。
【００７５】
メディア・アクセス制御（ＭＡＣ）層はまた暗号化を行う。各無線担体は別々に暗号化される。暗号化の詳細は３ＧＰＰ  ＴＳ３３．１０２に述べられている。
【００７６】
ＷーＣＤＭＡのようなシステムでは、パケット・データを送るために使用される三形式の搬送チャネルがある。これらのチャネルは共通搬送チャネル、専用搬送チャネル、及び共有搬送チャネルとして知られている。下り回線では、搬送チャネル・パケット・データはパケット予定計画アルゴリズムによって選択される。上り回線では、搬送チャネルはパケット予定計画アルゴリズムによって設定されたパラメータに基づいて移動局１０によって選択される。
【００７７】
共通チャネルは、例えば、上り回線ではランダム・アクセス・チャネルＲＡＣＨであり、下り回線では順方向アクセス・チャネルＦＡＣＨである。両者は信号データ及びユーザー・データを搬送する。共通チャネルは低い設定時間を有する。共通チャネルは接続が設定される前に通信のために使用されるので、共通チャネルは長い設定時間ではなく直ちにパケットを送るように使用される。一般的にセクタにつき幾つかのＲＡＣＨまたはＦＡＣＨがある。共通チャネルはフィードバック・チャネルを持たず、従って一般的に開ループ電力制御及び、固定電力を使用する。さらに、共通チャネルはソフト・ハンドオーバーを使用することができない。このように、共通チャネルの回線レベル性能は専用チャネルのそれより悪く、専用チャネルより多くの干渉が生じる。従って、共通チャネルは小さな個々のパケットを送ることにさらに適している。共通チャネルで使用されるアプリケーションは短メッセージ・サービスのようなアプリケーション、及び短テキスト電子メールであろう。ウェブ・ページに単一要求を送ることはまた共通チャネルの概念によく適合しているが、しかしながら、さらに多いデータ量の場合には、共通チャネルは貧弱な無線性能に苦しむ。
【００７８】
専用チャネルは高速電力制御及び無線性能を改善するソフト・ハンドオーバー特性を使用することができ、一般的に共通チャネルよりも少ない干渉が生成される。しかしながら、専用チャネルを設定することは共通チャネルにアクセスするよりも多くの時間がかかる。専用チャネルは１秒間に数キロバイトから１秒間に２メガバイトの可変ビット率を有する。ビット率は伝送の間に変わるので、下り回線の直交符号は最高ビット率に従って割当てられなければならない。従って、可変ビット率の専用チャネルは高価な下り回線直交符号空間を消費する。
【００７９】
物理層（Ｌ１）１２０は信号情報及びユーザー・データを搬送する搬送チャネルを経由して ＭＡＣ層１４０に結合する。物理層１２０はデータが如何に及びどんな特性で転送されるかによって特性が決まる搬送チャネルを経由してＭＡＣ層にサービスを提供する。
【００８０】
物理層（Ｌ１）１２０は物理チャネルを経由して無線回線上の信号及びユーザー・データを受取る。物理層（Ｌ１）は一般的に獲得、アクセス、ページ化、及び無線回線確立／失敗といった他の物理層手順は勿論、ＣＲＣ計算を含む多重化及びチャネル符号化、順方向誤り訂正（ＦＥＣ）、伝送率調整、搬送チャネル・データのインタリーブ、及び搬送チャネル・データの多重化を実行する。物理層（Ｌ１）はまた拡散及びスクランブル、変調、測定、伝送ダイバシティ、電力重み付け、ハンドオーバー、圧縮モード及び電力制御についても責を負う。
【００８１】
図５Ｂは無線回線制御（ＲＬＣ）層のアーキテクチャを示すブロック図である。上で述べたように、無線回線制御（ＲＬＣ）層１５０における各ＲＬＣエンティティーまたはインスタンス１５２は無線資源制御（ＲＲＣ）層によって三つのデータ移動モードの一つ：トランスペアレントモード（ＴＭ）、否定応答モード（ＵＭ）、または肯定応答モード（ＡＭ）において動く無線資源制御（ＲＲＣ）層によって構成される。ユーザー・データに関するデータ転送モードはサービス品質（ＱｏＳ）設定 によって制御される。
【００８２】
ＴＭは一方向性であり、送信ＴＭエンティティー１５２Ａ及び受信ＴＭエンティティー１５２Ｂを含む。トランスペアレントモードでは、プロトコル順序は高位層データに加えられない。誤りのあるプロトコル・データ・ユニット（ＰＤＵ）は廃棄されるか、誤りが記される。特別な場合には、限られたセグメント化／再構築が達成されるけれども、一般的に高位層データがセグメント化されないストリーミング型伝送が使用される。セグメント化／再構成が使用されるとき、それは無線担体設定手順において取決められる。
【００８３】
ＵＭもまた一方向性であり、送信ＵＭエンティティー１５２Ｃ及び受信ＵＭエンティティー１５２Ｄを含む。上り回線と下り回線との間の関連は必要とされないので、ＵＭ  ＲＬＣエンティティーは一方向性であると定義される。データ配送はＵＭでは保証されない。例えば、ＵＭは肯定応答及び再伝送がＲＲＣ手順の一部ではない或るＲＲＣ信号手順について使用される。否定応答モードＲＬＣを利用するユーザー・サービスの例はセル放送サービス及びＩＰ上の音声である。受信誤りデータは構成に応じて印付け、または廃棄される。明白な信号機能なしでのタイマー基準の廃棄が適用され、このように指定時間内に送られないＲＬＣ  ＰＤＵは送信バッファから単順に除去される。否定応答データ転送モードでは、ＰＤＵ構造化は系列番号を含み、系列番号検査が行われる。系列番号検査は再構築ＰＤＵの完全性を保証するのに役立ち、それらが無線回線制御（ＲＬＣ）ＳＤＵに再構築されるとき、無線回線制御（ＲＬＣ）ＰＤＵにおける系列番号を検査することによって破損無線回線制御（ＲＬＣ）ＳＤＵを検出する手段を提供する。あらゆる破損無線回線制御（ＲＬＣ）ＳＤＵは廃棄される。セグメント化及び連結はまた否定応答モード（ＵＭ）でも行われる。
【００８４】
肯定応答モードでは、ＲＬＣ  ＡＭエンティティーは双方向性であり、反対方向における回線条件の指示をユーザー・データへ抱合わせることが可能である。図５Ｃは無線回線制御（ＲＬＣ）肯定応答モード（ＡＭ）エンティティーを実施するエンティティー及び如何にＡＭ  ＰＤＵが構築されるかを示すブロック図である。ＡＭーＳＡＰ経由の高位層から受取られたデータ・パケット（ＲＬＣ  ＳＤＵ）は固定長さのプロトコル・データ・ユニット（ＰＤＵ）にセグメント化及び／また連結される（５１４）。プロトコル・データ・ユニットの長さは設定された無線担体において決定された半静的な値であり、ＲＲＣ無線担体再構成手順によって変えられる。連結または詰込み目的のために、長さ及び拡張に関する情報をもつビットが最後のプロトコル・データ・ユニットの始まりに挿入されるか、もしくはＳＤＵからのデータが含められる。いくつかのＳＤＵが一つのＰＤＵに適合すれば、それらは適切な長さ指標（ＬＩ）に連結され、ＰＤＵの始まりに挿入される。そして、ＰＤＵは伝送バッファ５２０に置かれ、それはまた再伝送管理を担当する。
【００８５】
ＰＤＵは送信バッファ５２０から一つのＰＤＵを取り、それに関するヘッダーを付加することにより構築され、そしてＰＤＵにおけるデータが全ＲＬＣ  ＰＤＵを満たさなければ、詰込み領域（padding field）または抱合わせ状態メッセージが付加される。抱合わせ状態メッセージはＲＬＣ  ＳＤＵ廃棄を指示するため受信側から、それとも送信側から発する。ヘッダーはＲＬＣ  ＰＤＵ系列番号（ＳＮ）、ポール・ビット（Ｐ）（それはピアエンティティーから状況を要求するために使用される）、及びＳＤＵ、詰込み、または抱合わせＰＤＵの連結がＲＬＣ  ＰＤＵにおいて行われれば使用される長さ指標（ＬＩ）を任意に含む。
【００８６】
肯定応答モード（ＡＭ）は一般的にインターネット・ブラウジング及び電子メール・ダウンロードといったパケット型サービスについて使用される。肯定応答モードでは、自動反復要求（ＡＲＱ）機構は誤り訂正に使用される。誤りを持つあらゆる受信パケットは再伝送される。ＲＬＣの品質対遅延性能はＲＬＣによって提供されるいくつかの再伝送の構成を通してＲＲＣによって制御される。ＲＬＣが、例えば、正しくデータを配送しなければ、最大数の再伝送が到達するか、或いは伝送時間が超過すれば、上位層は通告されず、そして無線回線制御（ＲＬＣ）ＳＤＵが廃棄される。ピアエンティティーはまた状況メッセージ中に移動受信ウィンドウ命令を送ることによってＳＤＵ廃棄動作を通知され、その結果受信機は廃棄された無線回線制御（ＲＬＣ）ＳＤＵに属する全てのＰＤＵを除去する。
【００８７】
ＲＬＣは系列内（inーsequence）及び系列外（outーofーsequence）配送の双方について構成される。系列内配送によって、ＰＤＵの高位層の順序は維持され、一方、系列外配送はそれらが完全に受取られるとすぐ高位層ＰＤＵを転送する。ＲＬＣ層は高位層ＰＤＵの系列内配送を提供する。この機能はＲＬＣによる転送について提示された高位層ＰＤＵの順序を維持する。この機能が使われなければ、系列外配送が行われる。データＰＤＵ配送に加えて、状態及びリセット制御手順がピアＲＬＣエンティティーの間で通信される。制御手順は個別の論理チャネルを勿論使用し、斯くして、一つのＡＭ  ＲＬＣエンティティーは一つか、二つのいずれかの論理チャネルを使用する。
【００８８】
暗号化は肯定応答及び否定応答ＲＬＣモードについてＲＬＣ層において実行される。図５Ｃでは、ＡＭ  ＲＬＣ  ＰＤＵがＰＤＵ系列番号及びポール・ビットを含む二つの最初の２ビットを除外して暗号化される（５４０）。ＰＤＵ系列番号は暗号化アルゴリズムへの一つの入力パラメータであり、暗号化を行うためピアエンティティーよって読取り可能でなければならない。３ＧＰＰ仕様書ＴＳ３３．１０２は暗号化を述べている。
【００８９】
そして、ＰＤＵは論理チャネル経由でＭＡＣ層１４０に送られる。図５Ｃでは、特別な論理チャネル（ＤＣＣＨ／ＤＴＣＨ）は破線によって示され、それは一つのＲＬＣエンティティーが異なる論理チャネルを使用して制御ＰＤＵ及びデータＰＤＵを送るために構成されることを例示する。ＡＭエンティティーの受信側５３０は論理チャネルの一つを通してＭＡＣ層からＲＬＣ  ＡＭ  ＰＤＵを受取る。誤りは物理層ＣＲＣによって検査され、それは全ＲＬＣ  ＰＤＵ上で計算される。実際のＣＲＣ検査は物理層において行われ、ＲＬＣエンティティーは全ヘッダーを復号した後でデータと共にＣＲＣ検査の結果を受取り、そして可能な抱合わせの状態情報がＲＬＣ  ＰＤＵから抽出される。受取られたＰＤＵが強いメッセージであったならば、或いは状態情報がＡＭ  ＰＤＵに抱合わせられれば、制御情報（状態メッセージ）は受取られた状態情報に対してその再伝送バッファを検査する送信側に渡される。ＲＬＣヘッダーからのＰＤＵ番号は復号のため（５５０）及び暗号化ＰＤＵを受信バッファに記憶するとき使用される。一旦、完全なＳＤＵに属する全てのＰＤＵが受信バッファにあると、ＳＤＵは再構築される。示されていないが、系列内配送及び重複検知はＲＬＣ  ＳＤＵが高位層に配送される前に行われる。
【００９０】
ユーザー装置（ＵＥ）または移動局がＰＴＭ伝送と二地点間（ＰＴＰ）伝送との間で動く（またはセルを変える）ときＲＬＣエンティティー１５２は再初期化される。これは無線回線制御（ＲＬＣ）バッファにあるあらゆるデータの損失になる望ましくない結果となる。上で述べたように、移動局が一つのセルから別のセルへ移動するとき、或いはマルチメディア放送及びマルチキャストサービス（ＭＢＭＳ）コンテンツがサービス・セルにおいて二地点間（ＰＴＰ）伝送から一地点対多地点（ＰＴＭ）伝送に変わるとき問題が起こる。
【００９１】
二地点間（ＰＴＰ）伝送と一地点対多地点（ＰＴＭ）伝送との間の移行の間に、或いは異なるセルの間で発生する移行（例えば、ハンドオーバー）の間にマルチメディア放送及びマルチキャストサービス（ＭＢＭＳ）を維持し、且つ重複情報の提示を回避することが望ましい。ＭＢＭＳサービスの連続性を維持し、且つ重複情報の提示を回避するために、層２（１５０）は二つのストリームから来るデータを再編成することが可能でなければならない。ネットワーク端末点は各モードにおいて異なるからこの同期（synchronization）は物理層によって行うことができない。３ＧＰＰ２における場合と同様に、順方向誤り訂正（ＦＥＣ）がＲＬＣ層１５０以下で実行されれば、データは一地点対多地点（ＰＴＭ）伝送と二地点間（ＰＴＰ）伝送間のあらゆる移行の間に失われる。逆も同様である。さらに、これは（例えば、共通予定計画を有する）多数のセル間における同じメディア・アクセス制御（ＭＡＣ）の物理層同期及び共有を必要とするであろう。従って、これはそのような仮定が適用されない３ＧＰＰ２において問題を引き起こすことになる。
【００９２】
二地点間（ＰＴＰ）伝送
アプリケーションが有効な遅延許容度を持つと仮定すると、二地点間（ＰＴＰ）伝送に関して最も効率的なデータ転送モードは無線回線制御（ＲＬＣ）肯定応答モード（ＡＭ）である。例えば、ＲＬＣ肯定応答モード（ＡＭ）は一般的に専用論理チャネル上でパケット交換データ転送のために使用される。ＲＬＣは専用論理チャネル上の肯定応答モード（ＡＭ）で動作する。図５Ａに示されたように、下り回線方向における一つのユーザー・サービスのための専用ユーザー・トラヒックは専用トラヒック・チャネル（ＤＴＣＨ）として既知の論理チャネルを通して送られる。
【００９３】
肯定応答モード（ＡＭ）では、データに誤りがあれば逆方向回線は再伝送要求に利用可能である。ＲＬＣはサービス・データ・ユニット（ＳＤＵ）を伝送し、再伝送によってそのピアエンティティーへの配送を保証する。ＲＬＣが正しくデータを配送しなければ、送信側のＲＬＣのユーザーが通知される。ＲＬＣ  ＡＭにおける操作は一般に遅延が加わることを犠牲にしてさらに電力効率的である。
【００９４】
一地点対多地点（ＰＴＭ）伝送
共通トラヒック・チャネルは下り回線方向に存在する一方向チャネルであり、全ての端末または特定の端末群のいずれかに情報を伝送しているとき使用される。これら両方のデータ転送モードは設定された逆方向回線チャネルを持たない一方向性共通チャネルを使用する。
【００９５】
ＭＢＭＳサービスを二地点間（ＰＴＰ）及び一地点対多地点（ＰＴＭ）伝送モードの間でトランスペアレントに切替え可能にするアーキテクチャを提供することは望ましいであろう。二地点間（ＰＴＰ）及び一地点対多地点（ＰＴＭ）伝送モードの間を移行しているとき良好な性能を得るために、異なる無線回線制御（ＲＬＣ）モード間の交換を可能にするアーキテクチャを提供することもまた望ましいであろう。これは、例えば、所要電力を低減するのに役立つ。
【００９６】
本発明の形態はこれから図６〜１９を参照して示され、且つ説明される実施例を参照して述べられる。これらの特徴は、就中、新しい順方向誤り訂正（ＦＥＣ）層の使用によってそのような移行の間のサービス連続性を維持するのに役立つ。
【００９７】
図６は順方向誤り訂正（ＦＥＣｄ）モード及び順方向誤り訂正（ＦＥＣｃ）モードにおいて動作可能な順方向誤り訂正（ＦＥＣ）層を持つ改良ＵＭＴＳプロトコル・スタックの図である。サービス連続性を保ちながら、ユーザー装置（ＵＥ）が二地点間（ＰＴＰ）伝送から一地点対多地点（ＰＴＭ）伝送に変るとき、順方向誤り訂正（ＦＥＣ）層は一つの無線回線制御（ＲＬＣ）データ転送モードから別の無線回線制御（ＲＬＣ）データ転送モードへ内在の無線回線制御（ＲＬＣ）エンティティー１５２を変えることを可能にする。この実施例に従って、ＦＥＣ層は第一のモード（ＦＥＣｃ）もしくは第二のモード（ＦＥＣｄ） で動作する。一つの実施では、第一のモード（ＦＥＣｃ）はパリティー・ブロックを利用し、第二のモード（ＦＥＣｄ）はパリティー・ブロックなしで動作する。ＦＥＣｄとＦＥＣｃモードとの間の移行（changing）の影響はＲＬＣモード間の移行より非常に低く、データ損失が移行の間に発生しないようにシームレスにできる。
【００９８】
順方向誤り訂正（ＦＥＣｃ）モードはユーザー・データを保護するために外部符号化技術を利用する。これは共通チャネル上で特に有効である。順方向誤り訂正（ＦＥＣｃ）モードは否定応答モード（ＵＭ）で見出される機能、例えば無線回線制御（ＲＬＣ）層より上で起こるフレーム化（セグメント化及び連結）及び系列番号追加などを可能にする。その結果、伝統的な否定応答モード（ＵＭ）は順方向誤り訂正（ＦＥＣ）層で実行されるので、無線回線制御（ＲＬＣ）層は二地点間（ＰＴＰ）伝送についてトランスペアレントモード（ＴＭ）を使用する。この機能は無線回線制御（ＲＬＣ）肯定応答モード（ＡＭ）において重複するけれども、ＡＲＱによる利得はこの重複（duplication）を補う。
【００９９】
無線回線制御（ＲＬＣ）層の上に順方向誤り訂正（ＦＥＣ）または外部符号化層を配置することによって、系列番号は無線回線制御（ＲＬＣ）層に無関係な層に追加される。否定応答伝送によって、系列番号のような追加オーバーヘッドの使用はＭＢＭＳデータの非同期伝送の間に符号器パケット（Encoder Packet：ＥＰ）とプロトコル・データ・ユニット（ＰＤＵ）の再編成を可能にする。系列番号は無線回線制御（ＲＬＣ）より上の層に追加されるので、系列番号は二地点間（ＰＴＰ）伝送及び一地点対多地点（ＰＴＭ）伝送の双方において共通であり、従って一地点対多地点（ＰＴＭ）伝送から二地点間（ＰＴＰ）伝送への移行が発生するとき、系列番号の連続性は維持される。これはデータ及び／または見逃しデータの重複が回避されるようにデータが再編成されることを可能にする。
【０１００】
外部符号化は二地点間（ＰＴＰ）伝送において使用され、 それは潜在的にシステムにいくらかの電力の利益を与え、且つ／または再伝送の遅延を低減する。マルチメディア放送及びマルチキャストサービス（ＭＢＭＳ）データは可成り遅延耐性がある。二地点間（ＰＴＰ）伝送では、フィードバック経路が提供される。必要なとき追加パリティー・ブロックが常に送られるＦＥＣ手法より一般にもっと効率のよいＡＲＱ再伝送の使用によるもっと効率のよい無線回線制御（ＲＬＣ）肯定応答モード（ＡＭ）をこれは使用する。従って、ＭＢＭＳペイロード・データへのパリティー・ブロックの追加は専用論理チャネル、例えば、二地点間（ＰＴＰ）上で不必要である。
【０１０１】
図７Ａ及び７Ｂは無線回線制御（ＲＬＣ）層１５０の上に配置される順方向誤り訂正（ＦＥＣ）層１５７を含むアクセス階層のプロトコル構造の実施例を示す。順方向誤り訂正（ＦＥＣ）層は図１１を参照して述べられる。
【０１０２】
順方向誤り訂正（ＦＥＣ）層１５７はユーザー平面無線担体上で直接ユーザー平面情報１６３を受取る。順方向誤り訂正（ＦＥＣ）層は無線回線制御（ＲＬＣ）層の上部に位置するので、ＦＥＣプロトコル・データ・ユニット（ＰＤＵ）はＲＬＣサービス・データ・ユニット（ＳＤＵ）に対応する。ＦＥＣ層は好しくは任意のＳＤＵサイズ（８ビットの倍数に制約される）、可変伝送率源（variable rate sources）、低位層からのパケットの系列外受信、及び低位層からの重複パケットの受信に対応する。ＦＥＣ  ＰＤＵサイズは８ビットの倍数に制約される。
【０１０３】
図９Ａを参照して下記でさらに詳細に述べられるように、ＦＥＣ層１５７はＳＤＵのようなユーザー・データの高位層ブロックをセグメント化し、且つ連結する。各行はまた内部ブロックと云われる。各プロトコル・データ・ユニット（ＰＤＵ）はオーバーヘッドを含む。オーバーヘッドはサービス・データ・ユニット（ＳＤＵ）のようなユーザー・データの特定ブロックからのデータが位置するプロトコル・データ・ユニット（ＰＤＵ）の始まりを示す長さ指標（ＬＩ）を含む。ＰＤＵの集団は符号器パケット（ＥＰ）または「符号器マトリックス（encoder matrix）」を含む。符号器パケット（ＥＰ）に含まれるＰＤＵの数は、就中、使用される外部符号に依存する。各符号器「マトリックス」行を独立もしくは個別の伝送時間間隔（ＴＴＩ）に詰込むことは物理層の性能を高める。バッファ負担を低減させるために、短い伝送時間間隔（ＴＴＩ）継続期間が使用される。
【０１０４】
そして、符号器パケット（ＥＰ）はパリティ行を生成するために外部符号符号器を通過する。図９Ａを参照して下記でさらに詳細に述べられるように、ＦＥＣ層１５７はＵＭＴＳ地上無線接続ネットワーク（ＵＴＲＡＮ）２０中においてリード・ソロモン（ＲＳ）符号器の機能を提供することによって外部符号化を実行し、ユーザー装置（ＵＥ）１０内においてリード・ソロモン符号器の機能を提供することによって外部符号化を実行する。
【０１０５】
外部符号器によって生成されたパリティ行は符号器パケット（ＥＰ）に加えられ、一群の内部ブロックとして伝送バッファに置かれる。各内部ブロックはプロトコル・データ・ユニット（ＰＤＵ）を造るためにそれに加えられた情報を有する。そして、ＰＤＵ群が伝送される。
【０１０６】
ＦＥＣ層１５７はまた、たとえ異なる内部ブロックが異なるセルから受取られるとしても、一つのＥＰに属するデータの再生を可能にする。これは各プロトコル・データ・ユニット（ＰＤＵ）のヘッダーにおける系列番号（ＳＮ）の伝送を通して達成される。一実施例では、システム・フレーム番号（ＳＦＮ）これが符号器パケット（ＥＰ）に関してデータ整列を維持するのに役立つ。系列番号は、例えば、図１０Ａ及び１０Ｂを参照してこの文書の中でさらに詳細に論じられる。
【０１０７】
ＦＥＣ層１５７はまた詰込み及び再構成、ユーザー・データの転送を実行し、且つ上位層ＰＤＵの系列内配送、重複検知、及び系列番号検査を実行する。
【０１０８】
図６〜７Ａに示された実施例では、順方向誤り訂正（ＦＥＣ）層１５７はパケット・データ収束プロトコル（ＰＤＣＰ）層１５６と無線回線制御（ＲＬＣ）層１５０との間（例えば、（ＢＭＣ）層と同じレベル及びパケット・データ収束プロトコル（ＰＤＣＰ）層の下）に示されている。内部ブロック・サイズは無線で送られるパケットの「黄金（gold）」パケット・サイズに合致するので、順方向誤り訂正（ＦＥＣ）層１５７を無線回線制御（ＲＬＣ）層１５０の丁度上に置くことによって外部符号の性能が最適化される。それでもなお、順方向誤り訂正（ＦＥＣ）層はここで例示の目的のためにのみで示され、制限のないことは理解されるべきである。パケット・データ収束プロトコル（ＰＤＣＰ）層１５６はそのヘッダー圧縮能力のために順方向誤り訂正（ＦＥＣ）層１５７の頂部で使用される。現在パケット・データ収束プロトコル（ＰＤＣＰ）層１５６は専用論理チャネルを使用する二地点間（ＰＴＰ）伝送について定義されることは注目されるべきである。図７に示されたように、順方向誤り訂正（ＦＥＣ）層は無線回線制御（ＲＬＣ）層の上のアクセス階層内またはアプリケーション層中のどこでも提供される。順方向誤り訂正（ＦＥＣ）層はパケット・データ収束プロトコル（ＰＤＣＰ）層の下または上にあってもよい。ＦＥＣがアプリケーション層８０で実行されれば、「黄金」パケット・サイズが二つについて異なるにしても、それは等しくＧＳＭ及びＷーＣＤＭＡに適用することができる。
【０１０９】
外部符号設計
新しい順方向誤り訂正（ＦＥＣ）層はユーザー平面情報に基づいて外部符号化を実行する。図８は外部符号構造の概念を例示するために情報ブロック９１及び外部符号ブロック９５を示す図である。図９Ａは外部符号ブロック構造がマルチメディア放送及びマルチキャストサービス（ＭＢＭＳ）データ９１に適用される例を示す図である。遅延耐性のコンテンツを全体のセル上で放送するとき外部符号化は物理層性能を改善する。外部符号は、例えば、セル間の移行の間及び二地点間（ＰＴＰ）伝送モードと一地点対多地点（ＰＴＭ）伝送モードとの間の移行の間にデータの損失を回避するのに役立つ。
【０１１０】
外部符号ブロック９５はｋプロトコル・データ・ブロック９１及びＮーｋパリティ行９３の形で表される。外部ブロック符号化において、データをセグメント化し、連結し、且つ詰込む（内部ブロックへのオーバーヘッドの挿入を含む）ことにより、そして外部符号ブロック９５を造る情報ブロック９１に加えられるＮーｋパリティ行９３を生成するため結果として生じる情報ブロック９１を符号化することによってユーザー・データをｋペイロード行へ体系化することにより大きな符号器パケットまたは情報ブロック９１にデータは集合される。パリティー・ブロック９３は冗長度情報を情報ブロック９１に加える。そして、外部符号ブロックの個々の行は一つもしくは多数の伝送時間間隔（ＴＴＩ）の間に結局伝送される。いくつかのＰＤＵが伝送の間に失われるとしても、プロトコル・データ・ユニット（ＰＤＵ）の集合に関する冗長度情報は元の情報が再構築されることを可能にする。
【０１１１】
図９Ａはリード・ソロモン（ＲＳ）ブロック符号として知られる典型的な外部符号構造を示す。リード・ソロモン（ＲＳ）符号はチャネル誤りを検出し、且つ訂正するために使用される。図９Ａに示された外部符号は系統的（ｎ，ｋ）ブロック符号で、ここで各リード・ソロモン（ＲＳ）符号シンボルは行（row）及び列（column）によって定義された１バイト情報である。各列はリード・ソロモン（ＲＳ）符号語を含む。ｎ逸失ブロックが復元されるには、少なくともｎパリティー・ブロックが必要である。従って、パリティー・ブロックの数が増加するにつれて必要なメモリの量が増加する。リード・ソロモン（ＲＳ）符号化において、Ｎーｋパリティ・シンボルは符号語を生成するためにｋ系統的シンボルに加えられる。言い換えれば、リード・ソロモン（ＲＳ）符号［Ｎ，ｋ］はｋ情報或いは「系統的（systematic）」シンボル及びＮーｋパリティ・シンボルを有する。Ｎは符号の長さであり、ｋは符号の次元である。ｋ情報バイト毎に、符号はｎ符号化シンボルを造り、その最初のｋは情報シンボルと同一である。各行は「内部ブロック（inner block）」と呼ばれ、伝送時間間隔（ＴＴＩ）ごとのペイロードを表す。通常のＷーＣＤＭＡシステムにおいて、伝送は、例えば、２０ｍｓフレーム（ＴＴＩ）の基本的なＷーＣＤＭＡ構造上で発生する。パリティ・シンボルは下記で定義される生成マトリックスＧｋ×Ｎを使用して系統的シンボルから得られる：
ｍ１×ｋ・Ｇｋ×Ｎ＝ｃ１×ｋ                            （式１）
ｍ１×ｋ＝情報語＝［ｍ０  ｍ１  ・・・  ｍｋー１］          （式２）
ｃ１×Ｎ＝符号語＝［ｃ０  ｃ１  ・・・  ｃＮー１］          （式３）
ここで、ｍｉ，ｃｉは任意のガロア体に属する。例えば、リード・ソロモン（ＲＳ）符号語シンボルが１ビットであれば、次元２（ＧＦ（２））のガロア体が復号動作を記述するために使用されるであろう。一実施例では、シンボルが８進数であれば、次元２５６ ＧＦ（２５６）のガロア体が復号動作を記述するために使用される。この場合には、各情報列は行につき１バイトから成る。各情報列は次元 ２５６ ＧＦ（２５６）上のガロア体上で［Ｎ，ｋ］リード・ソロモン（ＲＳ）符号を使用して符号化される。行につきＭーバイトあれば、外部ブロックはＭ回符号化される。従って、外部ブロック９５につきＮ＊Ｍバイトある。
【０１１２】
抹消復号化
外部符号構造は抹消訂正を可能にする。どのシンボルが誤っているかを復号器が分かれば、誤りの系統的シンボルの再構築は比較的小さな計算量を必要とする。符号器パケット（ＥＰ）またはマトリックスは外部符号器の出力においてデータの全集合を参照する。冗長度情報は各行から列ごとに取られ、伝送される各行はデータが正しく送られたことを確認するためにそれに付加された検査しなければならないＣＲＣを有する。ＭＢＭＳ伝送の場合には、内部ブロック９１が誤っているかどうかを示すＣＲＣが各搬送チャネル・ブロックにおいて使用され、そしてＣＲＣが失敗すれば、ブロック中の全てのシンボルは誤りがあると推定される。実施例では、或る内部ブロック９７に誤りがあれば、そのブロックの全てのビットは抹消される。術語「抹消（erasure）」はＣＲＣが失敗した誤りブロックに属する各シンボルを云う。抹消ではないシンボルは正しいとみなされる。ＣＲＣの未検知誤り確率を無視すると、各Ｎ×１列は正しい抹消されたシンボルを含む。
【０１１３】
受信ベクトルｒは次のように書かれる： 
ｒ１×Ｎ＝［ｃ０ ｅ ｅ ｃ３ ｃ４ ｅ ｃ６ ｃ８ ・・・ ｃＮー１］              （式４）
ここで、ｅは抹消を識別する。
【０１１４】
抹消復号化はＮーｋ誤りシンボルまで訂正されることを可能にする。抹消ではないシンボルは正しいと見なされるので、ＲＳ符号の誤り訂正特性は一般的なＲＳ符号のそれより一般的にはるかに良い。各内部ブロックにおいて使用されるＣＲＣのサイズは未検知誤り確率が残りの外部ブロック確率を超えないことを保証するのに十分に大きくなくてはならない。例えば、１６ビットＣＲＣが内部ブロックにおいて使用されれば、残りの外部ブロック誤り率低限界は２ー１６＝１．５×１０ー５であろう。最初のｋ内部ブロックに誤りがなければ、系統的シンボルは情報シンボルと同じであるのでＲＳ復号は行う必要がない。
【０１１５】
良好なＣＲＣを持つｋブロックが受信されとすぐに、外部ブロックの復号は全てのＮ内部のブロックの受信を待たないで実行されることは注目される。抹消復号を行うために、修正された生成マトリックスΩｋ×ｋ は抹消または不必要なブロックに対応する全ての列を取除くことによって生成マトリックスＧｋ×Ｎから得られ、例えば、最初の良好なｋ受信シンボルが修正生成マトリックスを識別すために使用される。元の情報語ｍは次のように復元される：
【数１】
0005631903.tif 000002
【０１１６】
抹消復号化の複雑さはｋ×ｋマトリックス反転の複雑さに低減される。このように、ＲＳ抹消復号化の使用はＲＳ復号化の計算の複雑さを非常に単純化する。
【０１１７】
外部符号化性能に対するデータ詰込みの影響
図１１〜１３を参照して下記で論じられるように、無線で送られる詰込み及びオーバーヘッドの量が特定の外部符号化手法によって制限されれば、外部符号化は非常に大きなオーバーヘッドに帰着することなしで可変伝送率データ源と共に使用される。上で論じられた外部符号手法では、データは或るサイズのブロックに詰込まれ、短縮リード・ソロモン符号がブロックに亘って実行される。符号器パケット・データは図９Ａ及び９Ｂを参照して述べられた少なくとも二つの異なる方法 でＴＴＩに詰込まれる。
【０１１８】
図９Ｂは伝送時間間隔（ＴＴＩ）につき多数の行が送られる図９Ａの外部符号ブロック構造を示す図である。発明の別の形態によれば、一行からのデータは一つのＴＴＩにおいて伝送される。別の実施例では、一つの符号器パケット（ＥＰ）行からのデータは各ＴＴＩがその符号器パケット（ＥＰ）行からのデータを含むように一つのＴＴＩに入れられる。従って、各々の行は個別のＷーＣＤＭＡフレームまたは伝送時間間隔（ＴＴＩ）において伝送される。各行を一つのＴＴＩで送ることは良好な性能を提供するであろう。図９Ｂでは、ｋとｎの両方はＴＴＩ当たりの行の数によって分割され、行における誤りは完全に相関させられる。ＥＰ誤り率対ＴＴＩ誤り率を見るとき、これは可成りの差異を引き起こす。
【０１１９】
図９Ｃは各行が多数のＴＴＩにおいて送られる図９Ａの外部ブロック構造を示す図である。図９Ｃは四つのＴＴＩ（ＴＴＩ０〜ＴＴＩ３）に亘って符号器パケットの各行を送っていることを例示しているが、実際には、各行はどんな数のＴＴＩに亘っても送られることは理解されるべきである。各列は外部符号の符号語であるので、四つの明白な伝送「フェーズ（phases）」（ＴＴＩ０〜ＴＴＩ３）の各々は独立外部符号に等しい。全体のパケットが復元されるために、これらの独立した外部符号の全てが正しく復号することは必要であろう。
【０１２０】
図１０Ａ及び１０Ｂは順方向誤り訂正層によって生成された外部符号ブロックを示す図である。
【０１２１】
ＦＥＣｃモードはパリティ行またはブロック９３をＭＢＭＳペイロード・データ９１に加えることによって、外部符号ブロック９５を構築するために共通もしくは一地点対多地点（ＰＴＭ）論理チャネル上で使用される。各外部ブロック９５は複数の内部ブロック９１、９３を含む。内部ブロックの系列及びそれらの符号器パケットに対する位置を識別することは外部復号が正しく行われるように各利用可能な内部ブロックが正しい位置に置かれることを可能にする。一実施例では、各内部ブロックは内部ブロック数ｍ及び外部ブロック数ｎによって内部ブロックを識別するヘッダー９４を含む。例えば、外部ブロックｎはｍ内部マルチメディア放送及びマルチキャストサービス（ＭＢＭＳ）ペイロード・ブロックを持つデータ部分９１とＭー（ｍ＋１）内部パリティー・ブロックを持つ冗長部分９３を含む。この実施例に従って、系列番号空間はＭＢＭＳについて最適化され、いくつかの明白な系列番号、例えば、０から１２７によって定義される。系列番号空間は同じ系列番号があらゆる種類の移行によって引き起こされる受信間隙（reception gap）後で現れないように十分に大きくなければならない。いくつかの内部ブロックが失われるとしても、受信ＵＥは内部ブロックの順序を決定できなければならない。全系列番号空間によって識別できるより多くの内部ブロックをＵＥが失えば、ＵＥは内部ブロックを正しく再順序付けできないであろう。同じ内部ブロックの系列番号はＦＥＣｄブロック及びＦＥＣｃブロックに亘って同じである。ＦＥＣｄブロックはＦＥＣｃブロックにおいて利用される冗長部分９３を含まない。ＦＥＣｄエンティティー及びＦＥＣｃエンティティーは無線で同じビット率を使用する。
【０１２２】
送信側
送信順方向誤り訂正（ＦＥＣ）エンティティー４１０はＳＤＵを受信するサービス・データ・ユニット（ＳＤＵ）バッファ４１２、セグメント化及び連結ユニット４１４、リード・ソロモン（ＲＳ）符号化を行う外部符号器４１６、系列番号を符号化ＰＤＵに加える系列番号発生器４１８、論理チャネル４０６上でＰＤＵを伝送する送信バッファ４２０、及び予定計画ユニット４２２を含む。
【０１２３】
サービス・データ・ユニット（ＳＤＵ）バッファ４１２は矢印で示されたように無線担体４０２上でサービス・データ・ユニットの形でユーザー・データを受取り、高位層からのＦＥＣ  ＳＤＵを記憶する。受信バッファ４１２は予定計画ユニット４２２にどのくらい多くのデータが伝送されるかを通信する。
【０１２４】
上記のように、源データ率（source dataーrate）は一般的に変化するからそれが符号器パケット（ＥＰ）を一杯にする時間の量は一般的に変化する。図１３を参照して説明されるように、フレーム充填効率はデータを詰込み始める時を決定する際柔軟性を持つことによって改善される。導入される詰込みの量は受信ＦＥＣエンティティー４３０のジッター耐性に基づいてできる限りＥＰの作成を遅らせることによって低減される。
【０１２５】
予定計画エンティティー４２２は符号化を始めるときを決定する。スケジューラ４２２は好しくはその特定サービスのためのＱｏＳ特性（profile）に基づいてパケットが送出される必要がある前にどのくらい待つことが可能であるかを決定する。一旦、スケジューラ４２２は十分なデータが蓄積されたこと、或いは最大の受入可能なパケット伝送遅れが使い果たされたことを立証すれば、それは符号器パケット（ＥＰ）の作成を始動する。セグメント化及び連結ユニット４１４はサービス・データ・ユニット（ＳＤＵ）を様々な行に分割し、長さ指標（ＬＩ）を生成する。
【０１２６】
予定計画ユニット４２２は好ましくはＳＤＵが行の数（例えば、１２）に正確に適合するようにＥＰまたはプロトコル・データ・ユニット（ＰＤＵ）の最適サイズを決定する。代りに、スケジューラ４２２は最小可能な詰込みになるであろうＲＲＣによって構成されるものからＦＥＣ  ＰＤＵサイズを選択し、セグメント化及び連結機能４１４がＳＤＵをサイズ（ＰＤＵサイズーＦＥＣヘッダー・サイズ）のｋブロックにフォーマットすることを要求する。 このフォーマットは変化する。異なる形式のフォーマット化の例は図１２、１３を参照して下記で論じられる。考えられるデータの総量は連結及びセグメント化機能４１４によって組込まれるであろうオーバーヘッドを含むであろう。符号器パケット（ＥＰ）を生成するために、スケジューラ４２２は連結及びセグメント機能４１４がそのサイズのｋＰＤＵを作成することを要求する。このサイズは再構築情報を含む。一実施例では、ＰＤＵは８ビットの倍数のサイズを持っており、連続したＰＤＵのデータは符号語における異なるシンボルに対応する。
【０１２７】
そして、ｋＰＤＵブロックはリード・ソロモン（ＲＳ）符号化を実行する外部符号器４１６を介して実行される。外部符号器４１６は外部符号ブロックを造るために符号器パケット（ＥＰ）マトリックスに冗長度もしくはパリティ情報を生成且つ付加することによって符号器パケット（ＥＰ）マトリックスにおいてデータを符号化する。符号器はｋ行の等しい長さの情報に符号化を行い、低位部分層に同じサイズのｎプロトコル・データ・ユニット（ＰＤＵ）を配送する。最初のｋブロックはそれが受取るものと同一であり、次のｎーｋブロックはパリティ情報に対応する。
【０１２８】
スケジューラ４２２はまたＰＴＭストリームの時間配列または相対的タイミングを監視し、異なる論理ストリームの配列を調整するように伝送を行う。例えば、再構成の間にＰＴＰとＰＴＭ論理ストリームとの間の時間配列はサービス連続性に益するように調整される。ストリームが完全に同期するとき、最良の性能が得られる。
【０１２９】
異なる基地局（或いは、異なる伝送モード：ＰＴＰ、ＰＴＭ）は同じコンテンツストリームを伝送するが、それらのストリームはずれがある。しかしながら、データ・ストリームの符号器パケット（ＥＰ）フォーマットが同じであれば、各ストリームに関する情報は厳密に同じである。ユーザー装置（ＵＥ）は二つのストリームの間の関係が分かっているので系列番号を各外部ブロックに加えることによってユーザー装置（ＵＥ）は二つのストリームを結合することが可能となる。
【０１３０】
系列番号発生器４１８はＰＤＵを造るために符号器４１６において使用されたものと同じ系列において各ブロックの前部に系列番号を付加する。実施例では、系列番号発生器は、例えば、ＰＤＵを生成するために各外部符号ブロックの前部に８ビット系列番号を加える。追加オーバーヘッド情報はまた外部符号ブロックに加えられる。系列番号空間はストリーム間の悪い場合の時間差に適応するのに十分に大きくならなければならない。従って、別の実施例では、２０の系列番号空間が使用され、少なくとも５ビットが系列番号のために各ヘッダーにおいて用意される。このヘッダーはリード・ソロモン（ＲＳ）符号化が行われた後で外部符号ブロックに付加され、従ってこの「外部（outer）」ヘッダーは外部符号によって保護されない。系列番号はまた、たとえそれらが送られないとしても、好しくはパリティー・ブロックのために加えられる。一実施例では、系列番号の位相は符号器パケット境界と整列されている。系列番号の転倒（rollーover）は新しい符号器パケットの受信に対応するであろう。
【０１３１】
順方向誤り訂正（ＦＥＣ）ヘッダー・フォーマット
上述のように、データ・ストリームの同期はＰＤＵの順序付けと関連する情報を含む系列番号を導入することによって達成される。再順序付け及び重複検知に加えて、系列番号は符号化パッケットに含まれるそれぞれの源からのデータが再配列されることを可能にする。この系列番号は各パケットが考慮されるべき順序をはっきりと識別する。この系列番号は符号化が行われた後、情報ペイロード・ユニット（ＰＤＵ）及びパリティー・ブロックの双方に付加される「ＦＥＣヘッダー」を構成することができる。系列番号は復号化のために必要とされるので外部符号によって保護されないだろう。
【０１３２】
図１４は順方向誤り訂正（ＦＥＣ）ヘッダー・フォーマットの実施例の図である。データの符号器パケット（ＥＰ）との整列を容易にするために、系列番号は保留部分（Ｒ）４０２、ＥＰ（ＥＰＳＮ）を識別する符号器パケット（ＥＰ）部分４０４、及び符号器パケット（ＩＥＰＳＮ）４０６内の特定の内部ブロックの位置を識別する内部符号器パケットを含むように分割される。
【０１３３】
ＦＥＣ層４００にとって無線回線制御（ＲＬＣ）モードと相互動作できることが望ましい。無線回線制御（ＲＬＣ）ＡＭ及び無線回線制御（ＲＬＣ）ＵＭの双方は８ビットの倍数にサイズを持つサービス・データ・ユニット（ＳＤＵ）を要求するので、ＦＥＣ層４００がまたこの要求に固執することは望ましいであろう。ＦＥＣ層４００のための外部符号はデータのバイト・サイズ増加によって動作するので、符号器パケット（ＥＰ）の行サイズはまた整数バイトである必要があるであろう。従って、ＦＥＣヘッダー・サイズ４０１はまた無線回線制御（ＲＬＣ）に受入可能なためにＦＥＣプロトコル・データ・ユニット（ＰＤＵ）について８ビットの倍数でなければならない。順方向誤り訂正（ＦＥＣ）ヘッダー４０１が１バイトである一実施例において、単一ビットを含む保留部分（Ｒ）、３ビットを含むＥＰ（ＥＰＳＮ）４０４を識別する部分、及び４ビットを含む符号器パケット（ＩＥＰＳＮ）４０６内のＰＤＵの場所を識別するＩＰＥ部分を持つ。この実施例では、ＴＴＩにつき一つのＰＤＵが送られ、且つ異なるセルの伝送タイミングは１００ｍｓ以上の変動はないと予想されるので、８ビットの系列番号が使用される。
【０１３４】
伝送バッファ４２０はデータのフレームが累積されるまでＰＤＵを記憶する。ＰＤＵが要求されるとき、伝送バッファ４２０はフレームを順々に論理チャネル経由にて無線インタフェース（Ｕｕ）上でＭＡＣ層へ伝送する。そして、ＭＡＣ層はＰＤＵが結局ＵＥ１０に通信される物理層に搬送チャネルを経由してＰＤＵを通信する。
【０１３５】
受信側
図１１をなお参照すると、受信順方向誤り訂正（ＦＥＣ）エンティティー４３０は受信バッファ／再順序付け／重複検知ユニット４３８、系列番号除去ユニット４３６、リード・ソロモン復号を行う外部復号器４３４、及び再構築ユニット／サービス・データ・ユニット（ＳＤＵ）伝送バッファ４３２を含む。
【０１３６】
ＥＰマトリックスの情報行はＰＤＵに対応する。外部符号化を支援するために、受信順方向誤り訂正（ＦＥＣ）エンティティー４３０は外部符号化を始動する前にいくつかのＰＤＵを累積する。連続受信を達成するために、符号器パケットを復号する必要にも拘わらず、復号を行っている間、ユーザー装置（ＵＥ）は入来するプロトコル・データ・ユニット（ＰＤＵ）をバッファする。
【０１３７】
受信バッファ４３８は全符号器パケット（ＥＰ）が受信されるまで、もしくは予定計画ユニット（示されてない）が符号器パケット（ＥＰ）の再伝送がもうないことを納得するまでＰＤＵを累積する。一旦、或る符号器パケットについて受信されたデータがもはやないであろうと決定されれば、欠落ＰＤＵは抹消であると識別される。言い換えれば、ＣＲＣ検査に通らないＰＤＵは復号処理において抹消と置換されるであろう。
【０１３８】
いくつかのブロックは伝送の間に失われることがあり、或いはまた異なるデータ・ストリームは異なる遅れを持つので、受信順方向誤り訂正（ＦＥＣ）エンティティー４３０は潜在的に受信バッファ／再順序付け／重複検知ユニット４３８において受信ブロックの重複検知及び再順序付けを行う。系列番号は再順序付け／重複検知を支援するために各ＦＥＣプロトコル・データ・ユニット（ＰＤＵ）において使用される。系列番号はばらばらで受信されたデータを再順序付けするために受信バッファ４３８において使用される。一旦ＰＤＵが再順序付けされれば、重複検知ユニットはそれらの系列番号に基づいて符号器パケット（ＥＰ）におけるＰＤＵを検知し、あらゆる重複を除去する。
【０１３９】
そして、系列番号は除去される。系列番号はリード・ソロモン（ＲＳ）復号器に送られたブロックの一部ではないので、系列番号除去ユニット４３６は符号器パケット（ＥＰ）から系列番号を取除く。
【０１４０】
そして、データは欠落情報を復元するために外部復号機能４３４に渡される。外部復号器４３４は符号器パケット（ＥＰ）を受取り、必要であれば、リード・ソロモン（ＲＳ）復号器は誤った、もしくは欠落している行を再生するためにパリティ情報を使用することによって符号器パケット（ＥＰ）を復号する。例えば、情報を含む全てのプロトコル・データ・ユニット（ＰＤＵ）が正しく受信されなければ、もしくはｎＰＤＵからｋより少数しか正しく受信されなければ、パリティＰＤＵのサイズまで、プロトコル・データ・ユニット（ＰＤＵ）、外部復号化が欠落情報ＰＤＵを復元するために行われる。外部復号化が行われるときはいつでも、少なくとも一つのパリティＰＤＵは受信機で利用可能であろう。情報を含む全てのプロトコル・データ・ユニット（ＰＤＵ）が正しく受信されれば、もしくはｎＰＤＵからｋより少数でも正しく受信されれば、復号化は必要がない。そして、情報プロトコル・データ・ユニット（ＰＤＵ）は再構築機能４３２に配送される。
【０１４１】
そして、外部復号化が旨くいったかどうかとは関係なく、情報行は再構築ユニット／機能４３２に配送される。再構築ユニット４３２は長さ指標（ＬＩ）を使用して符号器パケット（ＥＰ）マトリックスの情報行からＳＤＵを再構築、或いは再構成する。一旦、ＳＤＵが旨く集められれば、サービス・データ・ユニット（ＳＤＵ）伝送バッファ４３２はＳＤＵを高位層に配送するため無線担体４４０上でサービス・データ・ユニット（ＳＤＵ）を伝送する。
【０１４２】
順方向誤り訂正（ＦＥＣ）エンティティー４３０において、異なる論理ストリームの間で時間オフセットによりＵＥに復号化を遅らせることを可能にすることは、システムが論理ストリームの間の同期の欠如によるデータの潜在的系列外受信を十分に利用することを可能にする。これはＰＴＰとＰＴＭとの間の移行と同様にハンドオフの間のサービスを円滑にする。ＵＥを異なる論理ストリームの間で時間オフセットにより復号化を遅らせることを可能にするアルゴリズムは図１５を参照して論じられる。
【０１４３】
符号器パケット（ＥＰ）選択肢：固定または可変行サイズ
プロトコル・データ・ユニット（ＰＤＵ）は全ての伝送時間間隔（ＴＴＩ）で連続的に送られる必要がないので、ＦＥＣまたは外部符号エンティティーはプロトコル・データ・ユニット（ＰＤＵ）が構築されるときについては柔軟性がある。これは良好なフレーム充填効率及び少ない詰込みオーバーヘッドをもたらすことになる。
【０１４４】
必要ならば、外部符号エンティティーは各伝送時間間隔（ＴＴＩ）でペイロードを生成することができる。サービス・データ・ユニット（ＳＤＵ）は高位層から受取られるので、プロトコル・データ・ユニット（ＰＤＵ）は実時間で構築される。プロトコル・データ・ユニット（ＰＤＵ）を造るために十分なデータがなければ、ＲＬＣが詰込みを追加する。
【０１４５】
固定行サイズ符号器パケット（ＥＰ）
ＳＤＵ２０１〜２０４を符号化するとき、できる限り伝送される詰込みの量を低減することが望ましい。
【０１４６】
一実施例では、符号器パケット（ＥＰ）マトリックス２０５の行サイズは固定サイズである。符号器パケット（ＥＰ）マトリックス２０５の行サイズの推測的知見はそれらの元の構成へのデータの整列を可能にする。内部で送られるであろうＳＤＵ２０１〜２０４の行サイズは前もって分かっているので、伝送はどのくらいのデータが送られるかが分かるのを待たずにデータが受取られるとすぐに開始することができる。
【０１４７】
図１２Ａは外部符号ブロック２１４の行サイズが固定されたデータ・ユニット２０１〜２０４から外部符号ブロック２１４を造るための符号化処理の例を示す。この例では、ユーザー・データは任意のサイズ・ブロックのビットを含む複数のサービス・データ・ブロック（ＳＤＵ）２０１〜２０４の形をとり、そのサイズは特定のアプリケーション（ビデオ、音声等）に依存する。
【０１４８】
任意サイズのＦＥＣ  ＳＤＵを伝送できるようにするために、セグメント化、連結及び詰込みがＦＥＣレベルで行われる。連結は絶対に必要ではないが、それがないと高位層データ処理量に重大な低下をもたらすであろう。
【０１４９】
高位層ＳＤＵ２０１〜２０４は最初にこの固定ＰＤＵサイズにフォーマットされる。この実施例では、セグメント化／連結機能は加入者ユニットに指示される固定サイズの内部ブロックを生成する。ステップ２２０で、内部ブロックの群は内部ブロック、必要な程度までの詰込み２０８、及びどれだけ多くのＳＤＵがＥＰの或る行で終わるかを示すことによって、サービス・データ・ユニット（ＳＤＵ）２０１〜２０４の終わりを指し示すために使用される長さ指標（ＬＩ）２０６を含む、符号器パケット・マトリックス２０５の一部になるようにセグメント化及び連結される。下記で論じられる外部符号器は冗長ブロックを造るためにこれらの内部ブロックを使用する。
【０１５０】
無線回線制御（ＲＬＣ）において、長さ指標（ＬＩ）はサービス・データ・ユニット（ＳＤＵ）よりはむしろプロトコル・データ・ユニット（ＰＤＵ）と比較して識別される各サービス・データ・ユニット（ＳＤＵ）の終わりを示す。ＰＤＵサイズはサービス・データ・ユニット（ＳＤＵ）のそれよりは一般的に小さいからこれはオーバーヘッドを低減させる助けになる。例えば、長さ指標（ＬＩ）はペイロード・データ・ユニット（ＰＤＵ）内の各ＦＥＣサービス・データ・ユニット（ＳＤＵ）末端の最後の８進数（octet）を指示するために使用される。「長さ指標」はＦＥＣヘッダーの終わりとＦＥＣ  ＳＤＵセグメントの最後の８進数までの間の８進数の数に設定される。長さ指標（ＬＩ）は好しくはその長さ指標（ＬＩ）が参照するＰＤＵに含められる。言い換えれば、長さ指標（ＬＩ）は好しくは同じペイロード・データ・ユニット（ＰＤＵ）を参照し、好しくは長さ指標（ＬＩ）が参照するＦＥＣ  ＳＤＵと同じ順序にある。
【０１５１】
外部ブロックが受信されるとき、長さ指標（ＬＩ）のような情報は受信機にサービス・データ・ユニット（ＳＤＵ）及び／または詰込みが何処で開始し、且つ終わるかを知らせるために使用される。
【０１５２】
長さ指標（ＬＩ）の存在を示すためにＦＥＣヘッダーにおけるビットを使用することはできないので、ＦＥＣヘッダーは長さ指標（ＬＩ）の存在を示すペイロード内の固定ヘッダーを加える。内部ヘッダーまたはＬＩはＳＤＵ２０１〜２０４を構築するために必要とされる情報を全て提供する。ＬＩはそれが参照するＰＬＣーＰＤＵに含まれる。最初のＬＩの存在はＰＬＣーＰＤＵの系列番号ヘッダーに含まれるフラグによって示される。各ＬＩにおけるビットはその拡張を示すために使われる。長さ指標（ＬＩ）の長さをＦＥＣ  ＰＤＵサイズと交換することを可能にするため、前のＳＤＵが最後のＰＤＵを満たすことが不足して終わったことを示す１バイトの長さ指標（ＬＩ）に関する新しい特定の値が導入される。長さ指標（ＬＩ）存在ビットは様々な方法で実行され、そのうちの二つは下記で論じられる。
【０１５３】
一実施例では、長さ指標（ＬＩ）存在ビットは各プロトコル・データ・ユニット（ＰＤＵ）において提供される。例えば、１バイトが各符号器パケット（ＥＰ）行の始まりに加えられ、バイト中のビットがＬＩの存在を示す。各プロトコル・データ・ユニット（ＰＤＵ）の全体の最初のバイトはこの「存在ビット（presence bit）」のために予約される。この存在ビットに適応するために、長さ指標は１ビットだけ短くされる。各パケット・ユニット（ＰＤＵ）において存在ビットを提供することによって、ＳＤＵはたとえ最初のＰＤＵが欠落しているとしてもＥＰ復号化が失敗したとき復号されることが可能となる。これは低い残留誤り率に帰着する。各ＰＤＵにおいて存在ビットを提供することは実時間連結／セグメント化を可能にする。
【０１５４】
別の実施例では、長さ指標（ＬＩ）存在ビットは最初のＰＤＵで提供される。各ＰＤＵの始まりでオーバーヘッドを加える代りに、全ｋ情報ＰＤＵの存在ビットはＥＰの最初のＰＤＵの始まりに加えられる。符号器パケット（ＥＰ）の始まりにおいて存在ビットを提供することは大きなＳＤＵ及び／または小さなＰＤＵを持っているときより少ないオーバーヘッドに帰着する。
【０１５５】
セグメント化及び連結の後、ＥＰ２０５は複数のサービス・データ・ユニット（ＳＤＵ）２０１〜２０４及び詰込みブロックの少なくとも一つによって占有されるいくつかの行を含む。外部ブロックの行サイズは各行が最高データ率（a peak data rate）で伝送時間間隔（ＴＴＩ）の間に伝送されるように設計される。サービス・データ・ユニット（ＳＤＵ）は一般に伝送時間間隔（ＴＴＩ）の間に送られるデータの量と協調させられない。斯くして、図１２Ａに示されたように、第二及び第四のＳＤＵ２０２、２０４はＥＰのそれぞれ第一及び第二の行の伝送時間間隔（ＴＴＩ）に適合しない。この例では、ＥＰはデータに利用可能な１２行を持っており、４ＳＤＵ２０１〜２０４はこれら１２行の最初の三つの行に詰められる。ＥＰ２０５の残りの行は詰込みブロック２０８によって占有される。このように、第二ＳＤＵ２０２は第二サービス・データ・ユニット（ＳＤＵ）２０２の第一の部分が「情報ブロック」の最初の行において開始し、第二ＳＤＵ２０２の第二の部分が第二の行で終わるように分割される。同様に、第三ＳＤＵは第三サービス・データ・ユニット（ＳＤＵ）２０３の第一の部分が第二の行において開始し、第三ＳＤＵ２０３の第二の部分が第三の行で終わるように分割されなければならない。第四サービス・データ・ユニット（ＳＤＵ）２０４は第三の行内に適合し、第三の行の残りは詰込みブロック２０８で充填される。この例では、符号器パケット（ＥＰ）２１３は詰込み２０８でたいてい構成される。
【０１５６】
符号器は冗長度またはパリティ情報を生成するためにＥＰを使用する。ステップ２４０で、符号器は長さが１６ブロックある外部符号ブロック２１３を生成するために、外部パリティー・ブロック２１４を加えることによって符号化される中間パケット・マトリックス２０５を符号化する。その符号器はその結果生じるデータ２１０を造るために各ブロックの各列から８ビットのデータを抽出する。リード・ソロモン（ＲＳ）符号器は冗長度またはパリティ情報２１２の４行を得るためにその結果生じるデータ２１０を符号化する。パリティ情報２１２は、１６ブロックの外部符号ブロック２１３を生成するためにＥＰマトリックス２０５に付加される外部パリティー・ブロック２１４を生成するために使用される。
【０１５７】
図１２Ｂは上で論じられた例において無線で伝送される情報の例を示す。ステップ２６０で、ＥＰ２０５の各列に系列番号を含む追加のオーバーヘッドを加えた後、１６ブロックの外部符号ブロック２１３はプロトコル・データ・ユニット（ＰＤＵ）２１４として無線で伝送される。十分なまたは全体の符号器パケット（ＥＰ）２１３マトリックスは下り回線上で送られるプロトコル・データ・ユニット（ＰＤＵ）２１４では伝送されない。むしろ、プロトコル・データ・ユニット（ＰＤＵ）は情報ビット２０１〜２０４及び符号器パケット（ＥＰ）マトリックス２１３の長さ指標（ＬＩ）２０６を含む。符号器パケット（ＥＰ）マトリックス２１３行サイズは固定され、したがって受信機で分かっているので、詰込み２０８を無線で実際に送ることは不必要である。詰込み値は分かっているので、詰込み情報２０８は下り回線上で伝送されず、従って、詰込み情報２０８を伝送する必要性はない。例えば、詰込みが全て０、全て１、または０と１の交互のパターンといった既知のビットの系列で構成されていれば、受信機は名目上符号器パケット（ＥＰ）２１３行長までプロトコル・データ・ユニット（ＰＤＵ）２１４を詰込むことができる。従って、伝送の間に、ＥＰ行サイズに等しいＰＤＵサイズを選択する代りに、情報ビット２０１〜２０４及び再構築オーバーヘッド（例えば、ＬＩ）を全て搬送する最小の利用可能なＥＰサイズが利用される。
【０１５８】
符号器マトリックスの行サイズは固定されているけれども、ＦＥＣ  ＰＤＵサイズは各々が一つの符号器マトリックス行の情報部分（詰込みは除外される）を全て含むように各伝送において或る集合から選択されるであろう。符号器マトリックスの行サイズより小さいサイズのＰＤＵを受取るとき、 ＵＥは既知のビット系列を持つそのサイズまで詰込むことができる。これは空中インタフェース上で負荷を増加せずに、内部ブロック・サイズが固定したまま維持されることを可能にする。固定行サイズを用いて、符号器パケット（ＥＰ）２１３はプロトコル・データ・ユニット（ＰＤＵ）を伝送し始める前にデータが全て利用可能になるまで待つ必要性を取除き、また詰込みを送る必要性を取除く。
【０１５９】
可変率伝送を扱うために上のアルゴリズムが実施されれば、全ての符号器パケット・マトリックスが一定のサイズを持つ伝送率等化手法が使用される。詰込みがＰＤＵの一部を構成するとき、より小さなＰＤＵが使用されるであろう。詰込みは特定のビット系列で構成され、データの最終に位置する。受信機では、低位層から受信されたブロックのサイズは最後に詰込みを付加することによって基準サイズ（baseーline size）と等化される。
【０１６０】
所定のビット系列が詰込みのために使用されれば、この詰込みは無線では伝送されない。受信機は外部復号化を実行する必要がない限り、受信機は実際の符号器パケット行サイズを知る必要はない。基本的なＳＤＵ再構築はＰＤＵの終りに詰込みの量の知ることを必要としない。最初のｋ符号器パケット（ＥＰ）行からの情報を含むＰＤＵは全てが受信されれば、外部復号化は不必要である。それとは対照的に、最初のｋ符号器パケット（ＥＰ）行からの情報を含む少なくとも一つのＰＤＵが欠落していれば、パリティ行からのデータを含むＰＤＵの少なくとも一つは必要とされる。パリティ行は一般に詰込まれないから、サイズは仮定される必要がある実際の符号器パケット・サイズについて参照として使用される。
【０１６１】
可変行サイズ符号化器パケット（ＥＰ）
図１３は可変行サイズを持つ外部符号ブロック３１３を造るための符号化処理を示す。  本発明のこの形態は空中インタフェース上で送られたデータの柔軟な外部ブロック符号化に関係する。この符号化処理はフレーム充填効率が増加するように送られる詰込みを少なくすることに帰着する。符号器パケット（ＥＰ）３０５の行は可変サイズであり、異なるサイズにされた外部ブロックは各伝送時間間隔（ＴＴＩ）について送られる。好しくは、符号器パケット（ＥＰ）３０５の行サイズはＳＤＵが符号器パケット（ＥＰ）マトリックス３０５の行の数（例えば、１２）に正確に適合するように変化する。この実施例では、ＦＥＣ層が最適な行サイズを決定できるように、ＦＥＣ層はＥＰを造る前に利用可能であるデータの全てを待たなければならない。行サイズは詰込みを制限するために利用可能なデータの量に基づいていくつかの異なるサイズから選択される。符号器パケット（ＥＰ）の行サイズはＳーＣＣＰＣＨについて構成されるＰＤＵサイズの集合と関連付けられる。符号器パケット３０５が生成される必要があるとき利用可能なデータの量に依存して、最小詰込みとなる行サイズが選択される。ブロック・サイズが各フレームにおいてより小さくなるように外部ブロック３１３のサイズを減少させることによって、少ないデータは同じＴＴＩ期間に亘って送られるので、データは低減伝送率で送られる。符号器パケット（ＥＰ）３０５の可変行サイズを使用することは符号器パケット（ＥＰ）の全伝送に亘って所要電力を安定化し、またより少ないパリティ・オーバーヘッド３１４を利用するのに役立つ。この実施例は、内在無線プロトコルによって各伝送時間間隔（ＴＴＩ）において送られる搬送ブロックのサイズが変化するＷーＣＤＭＡのようなシステムにおける一地点対多地点（ＰＴＭ）伝送でよく機能する。
【０１６２】
ステップ３２０で、 複数のサービス・データ・ユニット（ＳＤＵ）２０１〜２０４は、長さ指標（ＬＩ）２０６がサービス・データ・ユニット（ＳＤＵ）２０１〜２０４の末端を指し示すために使用される符号器パケット（ＥＰ）マトリックス３０５を生成するために、セグメント化及び連結される。長さ指標（ＬＩ）は各サービス・データ・ユニット（ＳＤＵ）が終結する最後の列に含まれる。
【０１６３】
ステップ３３０で、冗長度またはパリティ情報は各データ・ブロックから８ビットのデータを抽出することによって列基準で生成され、その結果生じるデータ３１０はパリティ情報３１２を得るためにリード・ソロモン（ＲＳ）符号器へ送られる。符号器パケット（ＥＰ）マトリックス３０５の行はより小さいので、より少ない冗長度情報が生成される。
【０１６４】
ステップ３４０で、パリティ情報３１２は１２ブロックの符号器パケット（ＥＰ）マトリックス３０５に付加される外部パリティー・ブロック３１４を生成し、それによってこの例では長さが１６ブロックある外部符号ブロックを生成するために使用されるので、符号化は継続する。全体の外部符号ブロック３１３はＳＤＵ、長さ指標（ＬＩ）２０６、及び／または冗長度情報３１４のいずれかで占有されるので、 この実施例は伝送効率を改善する詰込み伝送を回避する。この特定の例では、詰込みは必要とされなかった。しかしながら、いくつかの場合にはＰＤＵの構成サイズ数は制限されるので、詰込みの量の低減にも拘わらずいくらかの詰込みは必要とされることは理解されるべきである。これは大きなフレーム充填効率となる結果になり、また全体の符号器パケット（ＥＰ）に亘って一定の電力が維持されることを可能にする。これは電力制御手法を利用するＣＤＭＡシステムにおいて望ましい。
【０１６５】
示されていないけれども、無線でのＰＤＵの伝送は図１２のステップ２６０について上記で論じられたことと類似して起こる。
【０１６６】
図１１は外部符号化または無線回線制御（ＲＬＣ）の上に提供されるＲＬＣ否定応答モード（ＵＭ）＋エンティティー（ＲＬＣ  ＵＭ＋）を有する順方向誤り訂正（ＦＥＣ）層４００の実施例である。一般的に、無線回線制御（ＲＬＣ）は高位層のためのフレーム化を提供する。ここで、無線回線制御（ＲＬＣ）層の上に在るＦＥＣ層はフレーム化を行う。
【０１６７】
外部符号化層４００は論理チャネル４０８を経由して無線インタフェース（Ｕｕ）４０４上で受信順方向誤り訂正（ＦＥＣ）エンティティー４３０と通信する伝送順方向誤り訂正（ＦＥＣ）エンティティー４１０を含む。
【０１６８】
再順序付け／重複検知
図１５は移動局１０が異なる論理ストリーム間の時間オフセットによって復号化を遅らすことを可能にする再順序付けプロトコルまたはアルゴリズムである。
【０１６９】
受信順方向誤り訂正（ＦＥＣ）エンティティー４３０はＥＰマトリックス内の或るＰＤＵの位置を決定するために系列番号を使用する。例えば、系列番号の一部（ＰＳＮ）は符号器パケット（ＥＰ）の位置を識別する。
【０１７０】
このアルゴリズムは、せいぜい、復号化が開始される前に二つの符号器パケット（ＥＰ）からのデータが受取られることを仮定する。下記の説明では、符号器パケット（ＥＰｄ）は復号されるべき系列における次の符号器パケット（ＥＰ）であり、符号器パケット（ＥＰｂ）はバッファされつつある符号器パケット（ＥＰ）である。符号器パケット（ＥＰｂ）は符号器パケット（ＥＰｄ）の後に続く。ＲＳ復号化を行うのに完全符号器パケット伝送時間を必要とするＵＥ実装は、系列パケットを復号することができるために二重バッファリングする必要があるであろう。従ってＵＥは少なくとも符号マトリックスの最大サイズ行ｎ＋ｋ（ｋ及びｎはそれぞれ情報行の数及びパリティをも含む行の総数である）を記憶する。より速い復号化エンジンを持つＵＥはｎ＋１より低いけれどもこの要求を低減することができる。例えば、ＵＥがその復号化能力に基づいて系列パケットを受取るのに必要とされる量を越えて或る量のバッファ空間（ＸｔｒａＢｆｆｒ）を持っていれば、及び６４ｋｂｐｓのストリームが想定されるならば、計算の要求を増加せずに１００ｍｓだけ復号化を遅らすことはバッファ・サイズの８００バイト増加を必要とするであろう。
【０１７１】
ブロック１４１０で、新しい順方向誤り訂正（ＦＥＣ）プロトコル・データ・ユニット（ＰＤＵ）が受取られたか否かが判定される。新しい順方向誤り訂正（ＦＥＣ）プロトコル・データ・ユニット（ＰＤＵ）が受取られなければ、処理はブロック１４１０で再開する。新しい順方向誤り訂正（ＦＥＣ）プロトコル・データ・ユニット（ＰＤＵ）が受取られたならば、ブロック１４２０で新しい順方向誤り訂正（ＦＥＣ）プロトコル・データ・ユニット（ＰＤＵ）が復号される系列に属するか否かの判定が行われる。
【０１７２】
順方向誤り訂正（ＦＥＣ）プロトコル・データ・ユニット（ＰＤＵ）が復号される系列に属さなければ、ブロック１４２１で、新しい順方向誤り訂正（ＦＥＣ）プロトコル・データ・ユニット（ＰＤＵ）がバッファされつつある符号器パケット（ＥＰｂ）に属するか否かの判定が行われる。順方向誤り訂正（ＦＥＣ）プロトコル・データ・ユニット（ＰＤＵ）がバッファされつつある符号器パケット（ＥＰｂ）に属さなければ、ブロック１４４０でプロトコル・データ・ユニット（ＰＤＵ）は廃棄される。順方向誤り訂正（ＦＥＣ）プロトコル・データ・ユニット（ＰＤＵ）がバッファされつつある符号器パケット（ＥＰｂ）に属していれば、ブロック１４２３でプロトコル・データ・ユニット（ＰＤＵ）は関連する位置におけるＥＰｂのバッファに加えられる。ブロック１４２５で、ＥＰｂに関するデータの量がＸｔｒａＢｆｆｒを超えるか否かが判定される。ブロック１４２５でＥＰｂに関するデータの量がＸｔｒａＢｆｆｒを超えないことが判定されれば、処理はブロック１４１０で再開する。ＥＰｂに関するデータの量がＸｔｒａＢｆｆｒを超えれば、ブロック１４２８では伝送エンティティーはＥＰｄからの完全なＳＤＵを配送することを試みる。そして、ブロック１４３０で、残りのＥＰｄはバッファから消去され、ブロック１４３４でＥＰｂはＥＰｄに設定される。
【０１７３】
ブロック１４２０で順方向誤り訂正（ＦＥＣ）プロトコル・データ・ユニット（ＰＤＵ）がＥＰｄに属していれば、ブロック１４２２で、プロトコル・データ・ユニット（ＰＤＵ）は関連する位置におけるＥＰｄのバッファに加えられる。ブロック１４２４で、バッファがＥＰｄに関するｋの個々のＰＤＵを持っているか否かが判定される。バッファがＥＰｄに関するｋの個々のＰＤＵを持っていなければ、処理はブロック１４１０で再開する。バッファがＥＰｄに関するｋの個々のＰＤＵを持っていれば、ブロック１４２７で、復号器はＥＰｄに関する外部復号化を行い、そしてブロック１４２８で、伝送エンティティーはＥＰｄからの完全なＳＤＵを配送することを試みる。そして、ブロック１４３０で、残りのＥＰｄはバッファから消去され、そしてブロック１４３４で、ＥＰｂはＥＰｄに設定される。
【０１７４】
図１６は移動局によって受信された外部符号ブロックの間の時間関係をセルＡ（９８）からの一地点対多地点（ＰＴＭ）伝送、及びセルＢ（９９）からの別の一地点対多地点（ＰＴＭ）伝送を受信することの間の移動局移行として示す図である。図１６のいくつかの形態は２００２年８月２１日出願されたＧｒｉｌｌｉ他の米国特許ＵＳー２００４ー００３７２４５ーＡ１、及び２００２年５月６日出願されたＷｉｌｌｅｎｇｇｅｒ他の米国特許ＵＳー２００３ー０２０７６９６ーＡ１においてさらに論じられ、それらはそれらの全体における参照によってここに組込まれている。
【０１７５】
描かれたシナリオは或るＵＭＴＳ地上無線接続ネットワーク（ＵＴＲＡＮ）２０及びユーザー装置（ＵＥ）１０の要件を想定する。例えば、ＵＴＲＡＮ２０がセルを越えて同じ外部ブロック符号化を使用してコンテンツを送れば、同じ番号付けが隣接セルにおける同じデータまたはペイロードを搬送するブロックに使用されなければならない。同じ番号の外部ブロックは比較的時間整列して伝送される。セルを越えるＰＴＭ伝送の最大の誤整列は無線ネットワーク制御器（ＲＮＣ）２４によって制御される。ＵＴＲＡＮ２０はセルを越える一地点対多地点（ＰＴＭ）伝送による遅延ジッターを制御する。ＵＥ１０は次のブロックが受取られつつあるとき、外部ブロックを復号することができなければならない。従って、一つの外部ブロックのメモリが現行の外部ブロックを累積するのに必要とされるので、ＵＥにおけるバッファ空間は好しくは少なくとも二つの外部ブロック９５Ａー９５Ｃに適応すべきである。リード・ソロモン（ＲＳ）復号化の間に外部ブロックが基地局２２を横切って時間整列における不正確さを補償するために、メモリはまた「行」の内部ブロックを累積することができなければならない。
【０１７６】
セルＡ（９８）において、外部ブロックｎ（９５Ａ）の伝送の間に、移行が第二の内部マルチメディア放送及びマルチキャストサービス（ＭＢＭＳ）ペイロード・ブロックの伝送の間に起こる。いくらかの時間が移行の間に経過するので、セルＡ（９８）からセルＢ（９９）へのユーザー装置（ＵＥ）１０の移行を例示する矢印９６の勾配（slope）は水平ではない。ユーザー装置（ＵＥ）１０がセルＢ（９９）に達する時までに、マルチメディア放送及びマルチキャストサービス（ＭＢＭＳ）ペイロード・ブロックの第五のブロックは伝送されつつある。従って、ユーザー装置（ＵＥ）１０はそれぞれの伝送の時間誤整列及び移行の間に経過する時間より第二から第四までのブロックを欠落する。十分なブロックがセルＢ（９９）において受取られるならば、パリティー・ブロックが欠落ブロックを再構築するために利用されるので外部ブロックｎ（９５Ａ）はそれでもなお復号される。
【０１７７】
その後、外部ブロックｎ＋２（９５Ｃ）の伝送の間に、ユーザー装置（ＵＥ）１０はセルＢ（９９）からセルＡ（９８）への別の移行を受け、それは外部ブロックｎ＋２（９５Ｃ）の第五の内部マルチメディア放送及びマルチキャストサービス（ＭＢＭＳ）ペイロード・ブロックで起こる。この状況では、少しの内部ブロックが移行の間に失われ、外部ブロックはそれでも再生される。
【０１７８】
外部符号ブロックの使用はあらゆるサービス中断の尤度を低減させるのに役立つ。誤り回復が機能することを保証するために、同じブロックはパリティー・ブロックが各伝送路において同じ方法で構築されるべきであることを意味する各伝送路上で送られなければならない。（それは放送伝送であるので、マルチメディア放送及びマルチキャストサービス（ＭＢＭＳ）ペイロード・ブロックは各伝送路で必ず同じである。）上位アプリケーション層８０で順方向誤り訂正（ＦＥＣ）を行うことは符号化が順方向誤り訂正（ＦＥＣ）層１５７で行われ、従って各外部ブロックについて同じであるのでパリティー・ブロックが各伝送路において同一であることを保証するのに役立つ。それとは対照的に、符号化が、例えば、個々の無線回線制御（ＲＬＣ）エンティティー１５２で低位層において行われるならば、パリティー・ブロックが各伝送路において異なるのでいくらかの調整が必要とされる。
【０１７９】
一地点対多地点（ＰＴＭ）から二地点間（ＰＴＰ）への移行
図１７は一地点対多地点（ＰＴＭ）伝送及び二地点間（ＰＴＰ）伝送の間の移行が発生するとき移動局１０によって受信される外部符号ブロックの間の時間関係を示す図である。図１７に示された手法は、例えば、ＷーＣＤＭＡ及びＧＳＭシステムのような二地点間（ＰＴＰ）伝送を利用するシステムに適用する。
【０１８０】
本発明の形態はＰＴＭ伝送の間にパリティ情報またはブロックを内部ＭＢＭＳ「ペイロード」またはデータ・ブロックに加えることによる順方向誤り訂正に関係する。ＰＴＭ伝送において伝送される各外部符号ブロックは少なくとも一つのペーロード・ブロック及び少なくとも一つの内部パリティー・ブロックを含む。外部符号ブロックの誤り訂正能力は、例えばＵＥが一つのセルから他のセルへ移動するとき、もしくＭＢＭＳコンテンツの配送が同じサービス・セルにおけるＰＴＭ接続からＰＴＰ接続に変更するときのように、移行の間のＭＢＭＳコンテンツまたは「ペイロード」の損失を著しく低減し、且つ取除くようにする。
【０１８１】
上記のように、或るセルはＰＴＰまたはＰＴＭ伝送手法のいずれかを使用して加入者１０に伝送する。例えば、サービスのためにそのセルの中の要求が或る閾値以下になるならば、通常ＰＴＭ伝送モードにおいて放送サービスを伝送するセルは専用チャネルを設定してＰＴＰモードで（或る加入者１０だけに）伝送することを選択する。同様に、専用チャネル（ＰＴＰ）上でコンテンツを個々の加入者に通常伝送するセルはコンテンツを共通チャネル上で多数のユーザーに放送することを決定する。さらに、或るセルはコンテンツをＰＴＰ伝送モードで伝送し、一方、別のセルは同じコンテンツをＰＴＭ伝送モードで伝送するであろう。移動局１０が一つのセルから別のセルへ移動するとき、もしくはセル内の加入者の数がＰＴＰからＰＴＭへ、或いは逆に伝送手法の変更を招いて変わるとき移行が発生する。逆も同様である。
【０１８２】
外部ブロックｎ（９５Ａ）の二地点間（ＰＴＰ）伝送の間、移行が第四の内部マルチメディア放送及びマルチキャストサービス（ＭＢＭＳ）ペイロード・ブロックの伝送の間に発生する。いくらかの時間が移行の間に経過するので、一地点対多地点（ＰＴＭ）伝送から二地点間（ＰＴＰ）伝送へのユーザー装置（ＵＥ）の移行を例示する矢印１０１の勾配は水平ではない。ＰＴＭ１０１からＰＴＰへの移行が発生するとき、無線伝送ビット率はほぼ同じ値を維持する。 二地点間（ＰＴＰ）伝送は一般的に１パーセント以下のビット誤り率を有する（例えば、伝送の間１００ペイロード・ブロック毎に１以下の誤りがある）。対照的に、一地点対多地点（ＰＴＭ）伝送では、より高いビット誤り率が想定される。例えば、一つの実施例では、基地局は外部ブロックを１６伝送時間間隔（ＴＴＩ）ごとに一度生成し、これらのうち１２ＴＴＩはペイロード・ブロックによって占有され、４ＴＴＩはパリティー・ブロックによって占有される。許容されるブロック誤りの最大数は１６（１２基本ブロック＋４パリティー・ブロック）の中から４内部ブロックでなければならない。従って、最大許容ブロック誤り率は１／４であろう。
【０１８３】
移動局が一地点対多地点（ＰＴＭ）伝送から二地点間（ＰＴＰ）伝送へ移行するとき（１０１）、いくつかの内部ブロックが失われる。一地点対多地点（ＰＴＭ）伝送及び二地点間（ＰＴＰ）伝送が物理層（ＬＩ）においてほぼ同じビット率を持つと想定すると、平均して、再伝送ブロックの割合（percentage）は一般的にパリティー・ブロックの割合以下であるから、ＰＴＰ伝送はＭＢＭＳペイロード・ブロックをＰＴＭ伝送より速く送ることを可能にする。言い換えれば、統計的に云って、パリティー・ブロックの数は無線回線制御（ＲＬＣ）再伝送（ＲｅーＴｘ）の数よりはるかに多いから、二地点間（ＰＴＰ）伝送は一地点対多地点（ＰＴＭ）伝送より一般的にはるかに速い。移行１０１は一地点対多地点（ＰＴＭ）伝送から一般的にはるかに速い二地点間（ＰＴＰ）伝送へあるので、ユーザー装置１０が二地点間（ＰＴＰ）伝送へ移行するとき、マルチメディア放送及びマルチキャストサービス（ＭＢＭＳ）ペイロード・データの最初のブロックは伝送されつつある。従って、それぞれの伝送の時間誤整列、または移行１０１の間に経過する時間で少しのブロッも欠落することはない。従って、一地点対多地点（ＰＴＭ）伝送から二地点間（ＰＴＰ）伝送へ移行しているとき、一旦ＰＴＰ回線が目標セル上で確立されると失われたペイロード・ブロックは現行の外部ブロックの始まりから単に再開することによって作り出される。ネットワーク（network）は同じ外部ブロックの始まり、即ち最初の内部ブロックによってＰＴＰ伝送を開始することによって補償する。そして、ネットワークは完全な外部ブロックの高速配送により移行によって導入された遅れを回復する。移行の間にデータの損失を低減することはそのような移行によって引き起こされるＭＢＭＳコンテンツの配送における中断を低減させる。
【０１８４】
その後、外部ブロックｎ＋２のＰＴＰ伝送の間に、ユーザー装置（ＵＥ）１０は一地点対多地点（ＰＴＭ）伝送モードへの別の移行１０３を受ける。図１２では、二地点間（ＰＴＰ）から一地点対多地点（ＰＴＭ）へのこの移行１０３は外部ブロックｎ＋２の最後の内部マルチメディア放送及びマルチキャストサービス（ＭＢＭＳ）ペイロード・ブロックで発生する。この状況では、外部ブロックｎ＋２における多くの内部マルチメディア放送及びマルチキャストサービス（ＭＢＭＳ）ペイロード・ブロックは最後の内部ブロックを除いて既に送られている。ＦＥＣは一般的にフィードバックが利用可能でない状況において利用される。ＰＴＰ伝送は専用チャネルを利用し、従って逆方向回線上のフィードバック能力を持つので、ＦＥＣの使用は有益のようではない。交差移行におけるデータの損失を最小化、もしくは除去するために、ＵＭＴＳ地上無線接続ネットワーク（ＵＴＲＡＮ）２０は、好しくはＰＴＭ伝送への移行の間に失われるであろう内部ブロックを全て再生するために、ＰＴＰ伝送におけるＲＬＣ肯定応答モード（ＡＭ）の低残留ブロック誤り率に依存する。言い換えれば、標準の層２再伝送は誤りが元の伝送において検知されるあらゆるパケットを再伝送するために利用される。従って、図１７に示されたように、パリティー・ブロックはＰＴＰ伝送では必要とされない。誤りが二地点間（ＰＴＰ）伝送の間にペイロード・ブロックに存在すれば、無線回線制御（ＲＬＣ）層はあらゆる誤りブロックの再伝送を要求するから、外部ブロックはそれでもなお復号される。即ち、ＰＴＰ伝送の間に誤りがあるとき、移動局１０は再伝送（ｒｅーＴＸ）を要求し、或いは全てのブロックが正しいとき、再伝送は行われず、搬送フォーマット０（ＴＦ０）が利用される。これは符号化効率を高めるので、各内部ブロック９７のサイズが厳密に１伝送時間間隔（ＴＴＩ）に適合するように、外部符号化は好しくはプロトコル・スタックの層２において行われる。
【０１８５】
順方向誤り訂正（ＦＥＣ）外部符号化がアプリケーション層のようなプロトコル・スタックの上位層で行われれば、パリティー・ブロックは伝送手法（二地点間（ＰＴＰ）または一地点対多地点（ＰＴＭ））に関係なく送られるであろう。従って、パリティー・ブロックはまた二地点間（ＰＴＰ）伝送に付加されるであろう。
【０１８６】
上記で述べたように、さらに効率的な再伝送手法が順方向誤り訂正の代わりに使用されるので、ＰＴＰ伝送においてパリティー・ブロックの使用は必要ではない。パリティー・ブロックは好しくはＰＴＰ伝送において伝送されないので、完全な外部ブロックの配送は無線で同じビット率を仮定すると平均してＰＴＭよりも速い。二地点間（ＰＴＰ）伝送は一地点対多地点（ＰＴＭ）伝送に関して予想されるので、これによってＵＥはＰＴＭのＰＴＰへの移行によって引き起こされる中断を補償することが可能となる。ユーザー装置（ＵＥ）は、（１）新しいセルにおける或いは移行後のいずれか二地点間（ＰＴＰ）伝送において受取られた内部ブロックを、（２）古いセルにおける或いは移行前の一地点対多地点（ＰＴＭ）伝送において受取られた内部ブロックと結合することによって外部ブロックを再生する。ユーザー装置（ＵＥ）は移行前に受取られた内部ブロック及び同じ外部ブロックに属する移行後に受取られた内部ブロックを結合する。例えば、ユーザー装置（ＵＥ）１０は、二地点間（ＰＴＰ）伝送を経由して受取られた外部ブロックｎ＋２における内部マルチメディア放送及びマルチキャストサービス（ＭＢＭＳ）ペイロード・ブロックを、一地点対多地点（ＰＴＭ）伝送を経由して受取られた外部ブロックｎ＋２及びパリティー・ブロックにおける内部マルチメディア放送及びマルチキャストサービス（ＭＢＭＳ）ペイロード・ブロックと結合する。ＵＭＴＳ地上無線回線接続ネットワーク（ＵＴＲＡＮ）２０は、ＰＴＭ回線上の伝送に関してＰＴＰ回線からＭＢＭＳコンテンツを受信するユーザー全てに外部ブロックの伝送を僅かに「予想する」ことによってこの処理を円滑にする。
【０１８７】
ＵＴＲＡＮはＰＴＭ伝送に関して外部ブロックの伝送を予想するのでＰＴＰからＰＴＭへの「継ぎ目のない（seamless）」移行が可能である。その結果、セル境界を越える及び／またはＰＴＰ及びＰＴＭといった異なる伝送手法の間でＭＢＭＳコンテンツの配送もまた「継ぎ目がない」。この「時間予想（time anticipation）」は内部ブロックの数で表される。ユーザー装置（ＵＥ）１０がＰＴＭ伝送に移行するとき、たとえ通信回線が移行時間の間に存在しなくても、ユーザー装置（ＵＥ）１０はＭＢＭＳ受信のＱｏＳを妥協することなく内部ブロックの「時間予想」まで浪費する。ＵＥがＰＴＰにおいて直接ＭＢＭＳ受信を開始すれば、予想が必要とされる内部ブロックの「時間予想」数に達するまで、ＵＴＲＡＮ２０は空の内部ブロック（ＴＦ０）を回避することによって外部ブロックの伝送をゆっくりと予期できるので、ＵＴＲＡＮはＰＴＰ伝送の始まりで直ちに「時間予想」を適用するであろう。その点以降から、ＵＴＲＡＮは「時間予想」を一定の状態に保つ。
【０１８８】
一地点対多地点（ＰＴＭ）伝送では、無線回線制御器（ＲＮＣ）において利用可能なＵＥの特定フィードバック情報は頼りにならない。二地点間（ＰＴＰ）伝送では、ＵＥ１０は移行前に正しく受取られた最後の外部ブロックの数をＲＮＣに通知するであろう。これは（ＰＴＭからまたはＰＴＰから）ＰＴＰへのあらゆる移行に適用されるであろう。このフィードバックが受入れ可能と思われなければ、ＵＴＲＡＮ２０は状態移行前にユーザー装置（ＵＥ）１０によって多分受信された最後の外部ブロックを推定する。この推定は明白なセル伝送の間の予知できる最大の時間不正確さの知識に基づいており、そして現在送られつつある、或いは目標セルにおいて間もなく送られるであろう外部ブロックに基づいているであろう。
【０１８９】
順方向誤り訂正（ＦＥＣ）は移行の間に失われたあらゆるブロックが再生されように行われる。これはコンテンツが移行の間に失われる可能性を低減することによって「継ぎ目のない」移行をもたらす。この手法は、同じ外部ブロックが各源から伝送されつつあるとき二地点間（ＰＴＰ）から一地点対多地点（ＰＴＭ）伝送への移行が発生し、それは一般的に移行の期間に関して外部ブロックの期間があれば発生すると想定する。
【０１９０】
ＵＥ１０におけるメモリの量は隣接セルを越えるＰＴＭ伝送の時間整列の精度との二率背反である。ユーザー装置（ＵＥ）１０におけるメモリ要求を緩和することによって、ＰＴＭ  ＵＴＲＡＮ伝送の時間精度は増加する。
【０１９１】
図１８は無線ネットワーク制御器（ＲＮＣ）Ａからの二地点間（ＰＴＰ）伝送と無線ネットワーク制御器（ＲＮＣ）Ｂからの二地点間（ＰＴＰ）伝送との間の移行もしくは再配置の間に、移動局によって受信された外部符号ブロックの間の時間関係を示す図である。術語「ＲＮＣ」は術語「基地局制御器（ＢＳＣ）」 と互換して使用される。「再配置（relocation）」の間にユーザー装置（ＵＥ）１０は第一のＲＮＣ  Ａ（１２４）によって制御される領域におけるコンテンツストリームの二地点間（ＰＴＰ）伝送から、第二のＲＮＣ  Ｂ（２２４）によって制御される領域におけるコンテンツストリームの 二地点間（ＰＴＰ）伝送へ移行する。再伝送（ｒｅーＴｘ）はあらゆる欠落ＭＢＭＳペイロード・ブロックを補償するために使用される。セル間の二地点間（ＰＴＰ）伝送から二地点間（ＰＴＰ）伝送への直接移行はリリース‘９９ソフト・ハンドオーバーまたはハード・ハンドオーバーに類似して行われる。二つのＲＮＣ  Ａ、Ｂの間の連携なしでも、 目標ＲＮＣ  Ａ（１２４）はＵＥ１０によって受信された最後の全外部ブロックを算定しなければならない。この推定はＩｕインタフェース２５上のＲＮＣ２４によって受取られるＭＢＭＳコンテンツのタイミングに基づいているであろう。ＰＴＰ伝送を使用しているとき、ＲＮＣ２４は初期遅れを作り出し、ＭＢＭＳコンテンツのいかなる部分も無損失ＳＲＮＳ再配置を必要としなくとも失われないであろう。
【０１９２】
フローチャート図は理解ために系列順に描かれているが、或るステップは実際の実施では並行して実行されることを当業者は理解するであろう。他に示してないかぎり、方法ステップは発明の範囲を逸脱することなく置換えることができる。
【０１９３】
当業者は情報及び信号が様々な異なるあらゆる技術及び技法を使用して表されることを理解するであろう。例えば、上の記述の至る所で引用されるデータ、指示、命令、情報、信号、ビット、シンボル、及びチップは電圧、電流、電磁波、磁場または粒子、光学場または粒子、またはそのあらゆる組合せによって表される。
【０１９４】
ここで開示された実施例に関連して記述された様々な例示の論理的ブロック、モジュール、回路、及び、アルゴリズム・ステップは電子ハードウェア、コンピュータ・ソフトウェア、または双方の組合せとして実施できることを当業者はさらに理解するであろう。このハードウェア及びソフトウェアの互換性を明瞭に示すために、様々な例示部品、ブロック、モジュール、回路、及びステップがそれらの機能性に関して一般に上で記述されてきた。そのような機能性がハードウェアまたはソフトウェアとして実施されるかどうかは全体のシステムに課せられた特定の応用及び設計の制約に依存する。熟練技術者は特定の各応用について種々の方法で記述された機能性を実施できるであろうが、そのような実施の決定は本発明の範囲から逸脱するものと解釈されるべきではない。
【０１９５】
ここに開示された実施例に関連して記述された様々な例示の論理的ブロック、モジュール、及び回路は一般用途プロセッサ、ディジタル信号プロセッサ（ＤＳＰ）、特定用途向け集積回路（ＡＳＩＣ）、フィールド・プログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これの代りでは、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した一以上のマイクロプロセッサ、またはそのようなあらゆる他の構成として実施される。
【０１９６】
ここに開示された実施例に関連して記述された方法またはアルゴリズムの操作は直接ハードウェアにおいて、プロセッサによって実行されるソフトウェア・モジュールにおいて、或いは二つの組合せにおいて組込まれる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、交換可能ディスク、ＣＤーＲＯＭ、または当技術分野において既知の他の型式の記憶媒体に駐在する。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに駐在してもよい。ＡＳＩＣはユーザー端末に駐在してもよい。それに代るものでは、プロセッサ及び記憶媒体はユーザー端末中に個別部品として駐在してもよい。
【０１９７】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。例えば、無線接続ネットワーク２０はＧＳＭ／ＧＰＲＳシステムにおいて、代わりに、汎用地上無線接続ネットワーク（ＵＴＲＡＮ）空中インタフェースを使用して実施されるが、接続ネットワーク（access network）はＧＳＭ／ＥＤＧＥ（ＧＥＲＡＮ）であり、或いはインターシステムの場合には、それはＵＴＲＡＮ空中インタフェースのセル及びＧＳＭ／ＥＤＧＥ空中インタフェースのセルを含む。このように、本発明はここに示された実施例に限定されることを意図していないが、ここに開示された原理及び新規な特徴と両立する最も広い範囲を与えられるべきである。
【０１９８】
この特許文書の開示の一部は著作権保護の対象となる材料を含む。特許文書は特許・商標局の特許ファイルまたは記録で出版されるので、著作権所有者は特許文書または特許明細書のいずれのファクシミリ再生に対して反対をしないが、他の場合は全ての著作権権利を保留する。
以下に、本願出願の当初の特許請求の範囲に記載された発明を付記する。
［Ｃ１］
第２のタイプの情報の行を発生するため、第１の源からの無線担体上で第１のフォーマットにおけるペイロード・データを含む第１のタイプの情報の行をフレーム構成すること、
パリティー・ブロックを含む冗長情報の行を発生するために第2のタイプの情報の行をコード化すること、
第２のタイプ情報の行に冗長情報の行を付加し、第２のフォーマットおよびパリティー・ブロックにペイロード・データの行を含む外部のコード・ブロックを生成すること、  外部のコード・ブロックの各行にオーバーヘッド情報を加え、オーバーヘッド情報はシーケンス番号を含むこと、および
無線リンク制御層へ外部のコード・ブロックを送信することを含むチャネル上で情報を通信する方法。
［Ｃ２］
第１の源から外部のコード・ブロックを受信することをさらに含む［Ｃ１］に記載の方法。
［Ｃ３］
無線発信機が移行を受ける場合に、第２のタイプ情報の行と同一である第2の源から第２のパケットを受信すること、および
第２のパケットを有する外部のコード・ブロックを再整列するためにシーケンス番号を使用することをさらに含む［Ｃ２］に記載の方法。
［Ｃ４］
第２のタイプの情報が第２のフォーマットにおけるペイロード・データ、およびいくつかのケースでパディング情報を含む［Ｃ１］に記載の方法。
［Ｃ５］
符号化する前に提供されるシーケンス番号は、無線発信機が移行を受ける場合、無線リンク制御層がモードを変更することを許容する［Ｃ１］に記載の方法。
［Ｃ６］
符号化は外部符号化を含み、無線リンク制御層と無関係に行なわれる［Ｃ１］に記載の方法。
［Ｃ７］
チャネルが単方向共通の論理チャネルである［Ｃ１］に記載の方法。
［Ｃ８］
チャネルが単方向ダウンリンク・チャネルである［Ｃ７］に記載の方法。
［Ｃ９］
共通の論理チャネルが1つ以上端末へ放送される情報を運ぶ［Ｃ８］に記載の方法。
［Ｃ１０］
無線発信機に第１の外部コード・ブロックおよび第２の外部コード・ブロックを送信する方法であって、
少なくとも１つのデータ行と少なくとも１つの冗長行を持つ第1のブロックを送信し、各行はシーケンス番号を含むオーバーヘッド情報を有し、第2のブロックはデータ行だけから成り、
無線発信機が移行を受ける場合、第１のブロックを第２のブロックと整列させるためにシーケンス番号を使用することを含む方法。
［Ｃ１１］
無線リンク制御層と、
無線リンク制御層の上に配置された順方向誤差訂正層とを含み、
順方向誤差訂正層は、第1のタイプの情報が無線リンク制御層に到達する前に、無線担体上で第１のタイプの情報を受信し、
順方向誤差訂正層は、第２のタイプの情報を発生するため第１のタイプの情報が無線リンク制御層に到達する前に、第１のタイプの情報を等しいサイズのフレームの中へフレーム構成し、
順方向誤差訂正層は、外部コード・ブロックを発生するために第２のタイプの情報に加えられる冗長情報の行を発生するように第２のタイプの情報を使用し、
順方向誤差訂正層は、無線リンク制御層に送信する前に、各フレームにシーケンス番号を加える、通信システムのためのプロトコル構造。
［Ｃ１２］
源が第１の源であり、外部コード・ブロックが共通の論理チャネル上で送信される［Ｃ１１］に記載のプロトコル構造。
［Ｃ１３］
シーケンス番号は、第２のタイプの情報が移行中に第２の源からの他の第２のタイプの情報と再整列されることを許容する、［Ｃ１２］に記載のプロトコル構造。
［Ｃ１４］
無線リンク制御層を含んでいるシステムにおいて、共通のチャネルで情報を送信する前に情報を符号化する方法であって、
無線担体から情報を受信すること、および  
無線リンク制御層へ情報を渡す前に情報を外部ブロック符号化することを含む方法。
［Ｃ１５］
情報がコンテンツを含み、外部ブロック符号化が、
コンテンツをデータ・ブロック内に編成し、
パリティー・ブロックを発生するためにデータ・ブロックを符号化し、
符号器パケットを生成するためデータ・ブロックにパリティー・ブロックを加えることを含み、
パリティー・ブロックは送信の間に失われたどんなデータ・ブロックも再構成するために使用されるように構成された、［Ｃ１４］に記載の方法。
［Ｃ１６］
内部ブロック番号および外部ブロック番号を含むシーケンス番号によって、そのブロックを識別する符号器パケットの各ブロックへオーバーヘッド情報を加えることをさらに含む、［Ｃ１５］に記載の方法。
［Ｃ１７］
各ブロックが単一フレームで送信される［Ｃ１５］に記載の方法。
［Ｃ１８］
各ブロックが複数のフレームで送信される［Ｃ１５］に記載の方法。
【図１】
0005631903.tif 000003
【図２】
0005631903.tif 000004
【図３】
0005631903.tif 000005
【図４】
0005631903.tif 000006
【図５Ａ】
0005631903.tif 000007
【図５Ｂ】
0005631903.tif 000008
【図５Ｃ】
0005631903.tif 000009
【図６】
0005631903.tif 000010
【図７Ａ】
0005631903.tif 000011
【図７Ｂ】
0005631903.tif 000012
【図８】
0005631903.tif 000013
【図９Ａ】
0005631903.tif 000014
【図９Ｂ】
0005631903.tif 000015
【図９Ｃ】
0005631903.tif 000016
【図１０Ａ】
0005631903.tif 000017
【図１０Ｂ】
0005631903.tif 000018
【図１１】
0005631903.tif 000019
【図１２Ａ】
0005631903.tif 000020
【図１２Ｂ】
0005631903.tif 000021
【図１３】
0005631903.tif 000022
【図１４】
0005631903.tif 000023
【図１５】
0005631903.tif 000024
【図１６】
0005631903.tif 000025
【図１７】
0005631903.tif 000026
【図１８】
0005631903.tif 000027